(57)【特許請求の範囲】
【請求項１】
複数の下りリンクコンポーネントキャリアを使用して基地局装置と通信する移動局装置であって、
前記複数の下りリンクコンポーネントキャリアのうちの少なくとも第１の下りリンクコンポーネントキャリアにおいて、物理下りリンク制御チャネルのデコードを試みる手段と、
１つの物理下りリンク制御チャネルを検出することによって指示された、前記第１の下りリンクコンポーネントキャリア以外の第２の下りリンクコンポーネントキャリアにおける１つの物理下りリンク共用チャネルでの送信に対して、第１の物理上りリンク制御チャネルリソース及び第１のフォーマットを使用して、ＨＡＲＱにおける制御情報を前記基地局装置へ送信する手段と、
１つの物理下りリンク制御チャネルを検出することによって指示された、前記第１の下りリンクコンポーネントキャリアのみにおける１つの物理下りリンク共用チャネルでの送信に対して、第２の物理上りリンク制御チャネルリソース及び第２のフォーマットを使用して、ＨＡＲＱにおける制御情報を前記基地局装置へ送信する手段とを備え、
前記第１のフォーマットを使用して送信されるサブフレーム毎の情報ビット数は、前記第２のフォーマットを使用して送信されるサブフレーム毎の情報ビット数より大きいことを特徴とする移動局装置。
【請求項２】
複数の物理下りリンク制御チャネルを検出することによって指示された、複数の物理下りリンク共用チャネルでの送信に対して、第１の物理上りリンク制御チャネルリソース及び第１のフォーマットを使用して、ＨＡＲＱにおける制御情報を前記基地局装置へ送信することを特徴とする請求項１に記載の移動局装置。
【請求項３】
前記第１の下りリンクコンポーネントキャリアは、ＲＲＣシグナリングを使用して前記基地局装置によって指示されることを特徴とする請求項１または請求項２に記載の移動局装置。
【請求項４】
前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアであることを特徴とする請求項１または請求項２に記載の移動局装置。
【請求項５】
前記第１の下りリンクコンポーネントキャリアは、前記移動局装置が前記基地局装置との初期接続を実行した下りリンクコンポーネントキャリアであることを特徴とする請求項１または請求項２に記載の移動局装置。
【請求項６】
前記ＨＡＲＱにおける制御情報は、下りリンクトランスポートブロックに対するＡＣＫ／ＮＡＣＫを示す情報を含むことを特徴とする請求項１から請求項５のいずれかに記載の移動局装置。
【請求項７】
複数の下りリンクコンポーネントキャリアを使用して移動局装置と通信する基地局装置であって、
前記複数の下りリンクコンポーネントキャリアのうちの少なくとも第１の下りリンクコンポーネントキャリアにおいて、物理下りリンク制御チャネルを使用して、下りリンク制御情報を前記移動局装置へ送信する手段と、
１つの物理下りリンク制御チャネルを使用することによってスケジュールした、前記第１の下りリンクコンポーネントキャリア以外の第２の下りリンクコンポーネントキャリアにおける１つの物理下りリンク共用チャネルでの送信に対して、第１の物理上りリンク制御チャネルリソース及び第１のフォーマットを使用して、ＨＡＲＱにおける制御情報を前記移動局装置から受信する手段と、
１つの物理下りリンク制御チャネルを使用することによってスケジュールした、前記第１の下りリンクコンポーネントキャリアのみにおける１つの物理下りリンク共用チャネルでの送信に対して、第２の物理上りリンク制御チャネルリソース及び第２のフォーマットを使用して、ＨＡＲＱにおける制御情報を前記移動局装置から受信する手段とを備え、
前記第１のフォーマットを使用して送信されるサブフレーム毎の情報ビット数は、前記第２のフォーマットを使用して送信されるサブフレーム毎の情報ビット数より大きいことを特徴とする基地局装置。
【請求項８】
複数の物理下りリンク制御チャネルを使用することによってスケジュールした、複数の物理下りリンク共用チャネルでの送信に対して、第１の物理上りリンク制御チャネルリソース及び第１のフォーマットを使用して、ＨＡＲＱにおける制御情報を前記移動局装置から受信することを特徴とする請求項７に記載の移動局装置。
【請求項９】
前記第１の下りリンクコンポーネントキャリアを、ＲＲＣシグナリングを使用して前記移動局装置へ指示することを特徴とする請求項７または請求項８に記載の基地局装置。
【請求項１０】
前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアであることを特徴とする請求項７または請求項８に記載の基地局装置。
【請求項１１】
前記第１の下りリンクコンポーネントキャリアは、前記移動局装置が前記基地局装置との初期接続を実行した下りリンクコンポーネントキャリアであることを特徴とする請求項７または請求項８に記載の基地局装置。
【請求項１２】
前記ＨＡＲＱにおける制御情報は、下りリンクトランスポートブロックに対するＡＣＫ／ＮＡＣＫを示す情報を含むことを特徴とする請求項７から請求項１１のいずれかに記載の基地局装置。
【請求項１３】
複数の下りリンクコンポーネントキャリアを使用して基地局装置と通信する移動局装置の通信方法であって、
前記複数の下りリンクコンポーネントキャリアのうちの少なくとも第１の下りリンクコンポーネントキャリアにおいて、物理下りリンク制御チャネルのデコードを試み、
１つの物理下りリンク制御チャネルを検出することによって指示された、前記第１の下りリンクコンポーネントキャリア以外の第２の下りリンクコンポーネントキャリアにおける１つの物理下りリンク共用チャネルでの送信に対して、第１の物理上りリンク制御チャネルリソース及び第１のフォーマットを使用して、ＨＡＲＱにおける制御情報を前記基地局装置へ送信し、
１つの物理下りリンク制御チャネルを検出することによって指示された、前記第１の下りリンクコンポーネントキャリアのみにおける１つの物理下りリンク共用チャネルでの送信に対して、第２の物理上りリンク制御チャネルリソース及び第２のフォーマットを使用して、ＨＡＲＱにおける制御情報を前記基地局装置へ送信し、
前記第１のフォーマットを使用して送信されるサブフレーム毎の情報ビット数は、前記第２のフォーマットを使用して送信されるサブフレーム毎の情報ビット数より大きいことを特徴とする通信方法。
【請求項１４】
複数の下りリンクコンポーネントキャリアを使用して移動局装置と通信する基地局装置の通信方法であって、
前記複数の下りリンクコンポーネントキャリアのうちの少なくとも第１の下りリンクコンポーネントキャリアにおいて、物理下りリンク制御チャネルを使用して、下りリンク制御情報を前記移動局装置へ送信し、
１つの物理下りリンク制御チャネルを使用することによってスケジュールした、前記第１の下りリンクコンポーネントキャリア以外の第２の下りリンクコンポーネントキャリアにおける１つの物理下りリンク共用チャネルでの送信に対して、第１の物理上りリンク制御チャネルリソース及び第１のフォーマットを使用して、ＨＡＲＱにおける制御情報を前記移動局装置から受信し、
１つの物理下りリンク制御チャネルを使用することによってスケジュールした、前記第１の下りリンクコンポーネントキャリアのみにおける１つの物理下りリンク共用チャネルでの送信に対して、第２の物理上りリンク制御チャネルリソース及び第２のフォーマットを使用して、ＨＡＲＱにおける制御情報を前記移動局装置から受信し、
前記第１のフォーマットを使用して送信されるサブフレーム毎の情報ビット数は、前記第２のフォーマットを使用して送信されるサブフレーム毎の情報ビット数より大きいことを特徴とする通信方法。
【発明の詳細な説明】
【技術分野】
【０００１】
本発明は、移動局装置、基地局装置、及び無線通信方法に関する。
【背景技術】
【０００２】
３ＧＰＰ（3rd Generation Partnership Project）は、Ｗ-ＣＤＭＡ（Wideband-Code  Division Multiple Access）と、ＧＳＭ（登録商標）（Global System for Mobile Communications）とを発展させたネットワークを基本した移動通信システムの仕様の検討・作成を行なうプロジェクトである。３ＧＰＰでは、Ｗ-ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「LTE（Long Term  Evolution）」または「EUTRA（Evolved Universal Terrestrial Radio Access）」と呼称する）、および、より広帯域な周波数帯域を利用して、さらに高速なデータの送受信を実現する移動通信システム（以下、「LTE-A（Long Term Evolution-Advanced）」または「Advanced-EUTRA」と呼称する）に関する検討が進められている。
【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ-ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ-ＦＤＭＡ方式が提案されている。
【０００４】
一方、ＬＴＥ-Ａにおける通信方式としては、下りリンクでは、ＯＦＤＭＡ方式が、上りリンクでは、ＳＣ-ＦＤＭＡ方式に加えて、Ｃｌｕｓｔｅｒｅｄ-ＳＣ-ＦＤＭＡ（Clustered-Single Carrier-Frequency Division Multiple Access、DFT-s-OFDM with Spectrum Division Control、DFT-precoded OFDMとも呼称される）方式を導入することが検討されている。ここで、ＬＴＥおよびＬＴＥ-Ａにおいて、上りリンクの通信方式として提案されているＳＣ-ＦＤＭＡ方式、Ｃｌｕｓｔｅｒｅｄ-ＳＣ-ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ-Ａでは、一般的な移動通信システムで使用する周波数帯域は連続であるのに対し、連続および／または不連続な複数の周波数帯域（以下、「コンポーネントキャリア、要素キャリア（CC：Component Carrier）」または「キャリアコンポーネント、キャリア要素（CC：Carrier Component）」と呼称する）を複合的に使用して、１つの周波数帯域（広帯域な周波数帯域）として運用する（周波数帯域集約： Carrier aggregation、Spectrum aggregation、Frequency aggregationなどとも呼称される）ことが検討されている。さらに、基地局装置と移動局装置が、広帯域な周波数帯域をより柔軟に使用して通信するために、下りリンクの通信に使用する周波数帯域と上りリンクの通信に使用する周波数帯域を異なる周波数帯域幅とする（非対称周波数帯域集約：Asymmetric carrier aggregation）ことも提案されている（非特許文献１）。
【０００６】
図９は、従来の技術における周波数帯域集約された移動通信システムを説明する図である。図９に示されるような下りリンク（DL：Down Link）の通信に使用する周波数帯域と上りリンク（UL：Up Link）の通信に使用する周波数帯域を同じ帯域幅とすることは、対称周波数帯域集約（Symmetric carrier aggregation）とも呼称される。図９に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行なうことができる。図９では、例として、１００ＭＨｚの帯域幅を持った下りリンクの通信に使用する周波数帯域（以下、ＤＬシステム帯域、ＤＬシステム帯域幅とも呼称する）が、２０ＭＨｚの帯域幅を持った５つの下りリンクコンポーネントキャリア（DCC１：Downlink Component Carrier１、DCC２、DCC３、DCC４、DCC５）によって構成されていることを示している。また、例として、１００ＭＨｚの帯域幅を持った上りリンクの通信に使用する周波数帯域（以下、ＵＬシステム帯域、ＵＬシステム帯域幅とも呼称する）が、２０ＭＨｚの帯域幅を持った５つの上りリンクコンポーネントキャリア（UCC１：Uplink Component Carrier１、UCC２、UCC３、UCC４、UCC５）によって構成されていることを示している。
【０００７】
図９において、下りリンクコンポーネントキャリアそれぞれには、物理下りリンク制御チャネル（以下、PDCCH：Physical Downlink Control Channel）、物理下りリンク共用チャネル（以下、PDSCH：Physical Downlink Shared Channel）等の下りリンクのチャネルが配置される。基地局装置は、ＰＤＳＣＨを使用して送信される下りリンクトランスポートブロックを送信するための制御情報（リソース割り当て情報、ＭＣＳ（変調符号化方式：Modulation and Coding Scheme）情報、ＨＡＲＱ（ハイブリッド自動再送要求：Hybrid Automatic Repeat Request）処理情報など）を、ＰＤＣＣＨを使用して移動局装置へ割り当て、ＰＤＳＣＨを使用して、下りリンクトランスポートブロックを移動局装置へ送信する。すなわち、図９において、基地局装置は、同一サブフレームで、最大５つまでの下りリンクトランスポートブロックを移動局装置へ送信することができる。
【０００８】
また、上りリンクコンポーネントキャリアそれぞれには、物理上りリンク制御チャネル（以下、PUCCH：Physical Uplink Control Channel）、物理上りリンク共用チャネル（以下、PUSCH：Physical Uplink Shared Channel）等の上りリンクのチャネルが配置される。移動局装置は、ＰＵＣＣＨおよび／またはＰＵＳＣＨを使用して、ＨＡＲＱにおける制御情報や、チャネル状態情報や、スケジューリング要求などの上りリンク制御情報（UCI：Uplink Control Information）を基地局装置へ送信する。ここで、ＨＡＲＱにおける制御情報とは、ＰＤＣＣＨおよび／または下りリンクトランスポートブロックに対するＡＣＫ／ＮＡＣＫ（肯定応答：Positive Acknowledgement／否定応答：Negative Acknowledgement、ACKまたはNACK）を示す情報および／またはＤＴＸ（Discontinuous Transmission）を示す情報である。ＤＴＸを示す情報とは、移動局装置が、基地局装置から送信されるＰＤＣＣＨを検出できなかったことを示す情報である。
【０００９】
ここで、図９において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのコンポーネントキャリアが存在してもよい。
【００１０】
同様に、図１０は、従来の技術における非対称周波数帯域集約された移動通信システムを説明する図である。図１０に示すように、基地局装置と移動局装置は、下りリンクの通信に使用する周波数帯域と上りリンクの通信に使用する周波数帯域とを異なる帯域幅とし、これらの周波数帯域を構成する連続および／または不連続な周波数帯域であるコンポーネントキャリアを複合的に使用して広帯域な周波数帯域で通信を行なうことができる。図１０では、例として、１００ＭＨｚの帯域幅を持った下りリンクの通信に使用する周波数帯域が、２０ＭＨｚの帯域幅を持った５つの下りリンクコンポーネントキャリア（DCC１、DCC２、DCC３、DCC４、DCC５）によって構成され、また、４０ＭＨｚの帯域幅を持った上りリンクの通信に使用する周波数帯域が、２０ＭＨｚの帯域幅を持った２つの上りリンクコンポーネントキャリア（UCC１、UCC２）によって構成されていることを示している。
【００１１】
ここで、図１０において、下りリンク／上りリンクのコンポーネントキャリアそれぞれには下りリンク／上りリンクのチャネルが配置され、基地局装置は、ＰＤＣＣＨを使用してＰＤＳＣＨを移動局装置へ割り当て、ＰＤＳＣＨを使用して下りリンクトランスポートブロックを移動局装置へ送信する。すなわち、図１０において、基地局装置は、同一サブフレームで、最大５つまでの下りリンクトランスポートブロックを移動局装置へ送信することができる。また、移動局装置は、ＰＵＣＣＨおよび／またはＰＵＳＣＨを使用して、ＨＡＲＱにおける制御情報や、チャネル状態情報や、スケジューリング要求などの上りリンク制御情報を基地局装置へ送信する。
【００１２】
また、ＬＴＥ-Ａでは、基地局装置が、下りリンクコンポーネントキャリアに配置されるＰＤＣＣＨを使用して、ＰＤＳＣＨを移動局装置へ割り当てる際の割り当て方法が提案されている（非特許文献２）。
【００１３】
図１１は、従来の技術におけるＰＤＣＣＨを使用したＰＤＳＣＨの割り当て方法の例を説明する図である。図１１は、図９、図１０における下りリンクコンポーネントキャリアの一部分（DCC1、DCC2、DCC3の部分）を示している。図１１に示すように、基地局装置は、下りリンクの１つのコンポーネントキャリアに配置された複数のＰＤＣＣＨを使用して、同一サブフレームで、複数のＰＤＳＣＨを移動局装置へ割り当てるができる。
【００１４】
図１１では、例として、基地局装置が、ＤＣＣ２に配置された３つのＰＤＣＣＨ（それぞれ斜線、格子線、網線で示されるPDCCH）を使用して、ＤＣＣ１、ＤＣＣ２、ＤＣＣ３に配置されるＰＤＳＣＨを割り当てている（斜線で示されるPDCCHでDCC1のPDSCHを、格子線で示されるPDCCHでDCC2のPDSCHを、網線で示されるPDCCHでDCC3のPDSCHを割り当てている）ことを示している。基地局装置は、ＤＣＣ１、ＤＣＣ２、ＤＣＣ３に配置されたそれぞれのＰＤＳＣＨそれぞれを使用して、同一サブフレームで、最大３つまでの下りリンクトランスポートブロックを移動局装置へ送信することができる。
【先行技術文献】
【非特許文献】
【００１５】
【非特許文献１】"Carrier aggregation in LTE-Advanced", 3GPP TSG RAN WG1 Meeting #53bis, R1-082468, June 30-July 4, 2008.
【非特許文献２】"PDCCH Design of Carrier Aggregation", 3GPP TSG RAN WG1 Meeting #57, R1-091829, May 4-8, 2009.
【発明の概要】
【発明が解決しようとする課題】
【００１６】
しかしながら、従来の技術では、基地局装置と移動局装置が、ＨＡＲＱにおける制御情報を送受信する際に、無線リソースを非効率に使用してしまうという問題があった。
【００１７】
本発明は、このような事情に鑑みてなされたものであり、基地局装置と移動局装置が、コンポーネントキャリアを複合的に使用して広帯域な周波数帯域で通信を行なう際に、無線リソースを効率的に使用して、ＨＡＲＱにおける制御情報を送受信できる移動局装置および基地局装置を提供することを目的とする。
【課題を解決するための手段】
【００１８】
（１）上記の目的を達成するために、本発明は、以下のような手段を講じた。すなわち、本発明の移動局装置は、複数のコンポーネントキャリアを使用して基地局装置と通信する移動局装置であって、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の物理上りリンク制御チャネルリソースを使用して前記基地局装置へ送信し、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の物理上りリンク制御チャネルリソースを使用して前記基地局装置へ送信し、前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアであることを特徴とする。
【００１９】
（２）また、本発明の移動局装置は、複数のコンポーネントキャリアを使用して基地局装置と通信する移動局装置であって、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の物理上りリンク制御チャネルリソースを使用して前記基地局装置へ送信し、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の物理上りリンク制御チャネルリソースを使用して前記基地局装置へ送信し、前記第１の下りリンクコンポーネントキャリアは、前記移動局装置が前記基地局装置との初期接続の設定を実行した下りリンクコンポーネントキャリアであることを特徴とする。
【００２０】
（３）また、本発明の移動局装置は、複数のコンポーネントキャリアを使用して基地局装置と通信する移動局装置であって、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の送信フォーマットを使用して前記基地局装置へ送信し、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の送信フォーマットを使用して前記基地局装置へ送信し、前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアであることを特徴とする。
【００２１】
（４）また、本発明の移動局装置は、複数のコンポーネントキャリアを使用して基地局装置と通信する移動局装置であって、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の送信フォーマットを使用して前記基地局装置へ送信し、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の送信フォーマットを使用して前記基地局装置へ送信し、前記第１の下りリンクコンポーネントキャリアは、前記移動局装置が前記基地局装置との初期接続の設定を実行した下りリンクコンポーネントキャリアであることを特徴とする。
【００２２】
（５）また、本発明の移動局装置において、前記第１の下りリンクコンポーネントキャリアは、ＲＲＣシグナリングを使用して前記基地局装置によって指示されることを特徴とする。
【００２３】
（６）また、本発明の移動局装置は、複数の物理下りリンク共用チャネルの送信に対応する複数の物理下りリンク制御チャネルを検出した場合には、ＨＡＲＱにおける制御情報を前記第１の物理上りリンク制御チャネルリソースを使用して前記基地局装置へ送信することを特徴とする。
【００２４】
（７）また、本発明の移動局装置において、前記ＨＡＲＱにおける制御情報には、下りリンクトランスポートブロックに対するＡＣＫ／ＮＡＣＫを示す情報が含まれることを特徴とする。
【００２５】
（８）また、本発明の移動局装置において、前記ＨＡＲＱにおける制御情報には、ＤＴＸ（Discontinuous Transmission）を示す情報が含まれることを特徴とする。
【００２６】
（９）また、本発明の移動局装置において、前記第１の物理上りリンク制御チャネルリソースとして使用される物理リソースブロックは、前記基地局装置によって指定されることを特徴とする。
【００２７】
（１０）また、本発明の移動局装置において、前記第１の物理上りリンク制御チャネルリソースとして使用されるリソースは、前記基地局装置によって指定されるオーソゴナルシーケンスによって特定されることを特徴とする。
【００２８】
（１１）また、本発明の移動局装置において、前記第２の物理上りリンク制御チャネルリソースとして使用される物理リソースブロックは、前記基地局装置によって指定されることを特徴とする。
【００２９】
（１２）また、本発明の移動局装置において、前記第２の物理上りリンク制御チャネルリソースとして使用されるリソースは、前記基地局装置によって指定されるオーソゴナルシーケンスとサイクリックシフトによって特定されることを特徴とする。
【００３０】
（１３）また、本発明の移動局装置において、前記第１の送信フォーマットを使用してサブフレーム毎に送信可能な情報ビット数は、前記第２の送信フォーマットを使用してサブフレーム毎に送信可能な情報ビット数よりも多いことを特徴とする。
【００３１】
（１４）また、本発明の移動局装置において、前記第１の送信フォーマットには、前記第２の送信フォーマットに使用される変調方式よりも、高い変調多値数の変調方式を使用することが可能であることを特徴とする。
【００３２】
（１５）また、本発明の移動局装置において、前記第１の送信フォーマットは、前記移動局装置がＨＡＲＱにおける制御情報とチャネル状態情報を共に送信可能な送信フォーマットであることを特徴とする。
【００３３】
（１６）また、本発明の移動局装置において、前記第１の送信フォーマットは、前記移動局装置がＨＡＲＱにおける制御情報とスケジューリング要求を共に送信可能な送信フォーマットであることを特徴とする。
【００３４】
（１７）また、本発明の基地局装置は、複数のコンポーネントキャリアを使用して移動局装置と通信する基地局装置であって、前記移動局装置が、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の物理上りリンク制御チャネルリソースを使用して前記移動局装置から受信し、前記移動局装置が、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の物理上りリンク制御チャネルリソースを使用して前記移動局装置から受信し、前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアであることを特徴とする。
【００３５】
（１８）また、本発明の基地局装置は、複数のコンポーネントキャリアを使用して移動局装置と通信する基地局装置であって、前記移動局装置が、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の物理上りリンク制御チャネルリソースを使用して前記移動局装置から受信し、前記移動局装置が、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の物理上りリンク制御チャネルリソースを使用して前記移動局装置から受信し、前記第１の下りリンクコンポーネントキャリアは、前記移動局装置が前記基地局装置との初期接続の設定を実行した下りリンクコンポーネントキャリアであることを特徴とする。
【００３６】
（１９）また、本発明の基地局装置は、複数のコンポーネントキャリアを使用して移動局装置と通信する基地局装置であって、前記移動局装置が、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の送信フォーマットを使用して前記移動局装置から受信し、前記移動局装置が、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の送信フォーマットを使用して前記移動局装置から受信し、前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアであることを特徴とする。
【００３７】
（２０）また、本発明の基地局装置は、複数のコンポーネントキャリアを使用して移動局装置と通信する基地局装置であって、前記移動局装置が、第１の下りリンクコンポーネントキャリア以外の第２の下りリンクコンポーネントキャリアにおける１つの物理下りリンク共用チャネルの送信に対応する１つの物理下りリンク制御チャネルを検出した場合には、ＨＡＲＱにおける制御情報を第１の送信フォーマットを使用して前記移動局装置から受信し、前記移動局装置が、前記第１の下りリンクコンポーネントキャリアにおける１つの物理下りリンク共用チャネルの送信に対応する１つの物理下りリンク制御チャネルのみを検出した場合には、ＨＡＲＱにおける制御情報を第２の送信フォーマットを使用して前記移動局装置から受信し、前記第１の下りリンクコンポーネントキャリアは、前記移動局装置が前記基地局装置との初期接続の設定を実行した下りリンクコンポーネントキャリアであることを特徴とする。
【００３８】
（２１）また、本発明の基地局装置において、前記第１の下りリンクコンポーネントキャリアは、ＲＲＣシグナリングを使用して前記基地局装置によって指示されることを特徴とする。
【００３９】
（２２）また、本発明の基地局装置において、前記移動局装置が、複数の物理下りリンク共用チャネルの送信に対応する複数の物理下りリンク制御チャネルを検出した場合には、ＨＡＲＱにおける制御情報を前記第１の送信フォーマットを使用して前記移動局装置から受信することを特徴とする。
【００４０】
（２３）また、本発明の基地局装置において、前記ＨＡＲＱにおける制御情報には、下りリンクトランスポートブロックに対するＡＣＫ／ＮＡＣＫを示す情報が含まれることを特徴とする。
【００４１】
（２４）また、本発明の基地局装置において、前記ＨＡＲＱにおける制御情報には、ＤＴＸ（Discontinuous Transmission）を示す情報が含まれることを特徴とする。
【００４２】
（２５）また、本発明の基地局装置において、前記第１の物理上りリンク制御チャネルリソースとして使用される物理リソースブロックは、前記基地局装置によって指定されることを特徴とする。
【００４３】
（２６）また、本発明の基地局装置において、前記第１の物理上りリンク制御チャネルリソースとして使用されるリソースは、前記基地局装置によって指定されるオーソゴナルシーケンスによって特定されることを特徴とする。
【００４４】
（２７）また、本発明の基地局装置において、前記第２の物理上りリンク制御チャネルリソースとして使用される物理リソースブロックは、前記基地局装置によって指定されることを特徴とする。
【００４５】
（２８）また、本発明の基地局装置において、前記第２の物理上りリンク制御チャネルリソースとして使用されるリソースは、前記基地局装置によって指定されるオーソゴナルシーケンスとサイクリックシフトによって特定されることを特徴とする。
【００４６】
（２９）また、本発明の基地局装置において、前記第１の送信フォーマットを使用してサブフレーム毎に送信可能な情報ビット数は、前記第２の送信フォーマットを使用してサブフレーム毎に送信可能な情報ビット数よりも多いことを特徴とする。
【００４７】
（３０）また、本発明の基地局装置において、前記第１の送信フォーマットには、前記第２の送信フォーマットに使用される変調方式よりも、高い変調多値数の変調方式を使用することが可能であることを特徴とする。
【００４８】
（３１）また、本発明の基地局装置において、前記第１の送信フォーマットは、前記移動局装置がＨＡＲＱにおける制御情報とチャネル状態情報を共に送信可能な送信フォーマットであることを特徴とする。
【００４９】
（３２）また、本発明の基地局装置において、前記第１の送信フォーマットは、前記移動局装置がＨＡＲＱにおける制御情報とスケジューリング要求を共に送信可能な送信フォーマットであることを特徴とする。
【発明の効果】
【００５０】
本発明によれば、基地局装置と移動局装置が、コンポーネントキャリアを複合的に使用して広帯域な周波数帯域で通信を行なう際に、無線リソースを効率的に使用して、ＨＡＲＱにおける制御情報を送受信することができる。
【図面の簡単な説明】
【００５１】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】第１の実施形態、第２の実施形態が適用可能な移動通信システムの例を示す図である。
【図５】物理上りリンク制御チャネルの直交リソースの構成例を示す図である。
【図６】物理上りリンク制御チャネルの直交リソースの別の構成例を示す図である。
【図７】物理上りリンク制御チャネルの直交リソースの別の構成例を示す図である。
【図８】第３の実施形態、第４の実施形態が適用可能な移動通信システムの例を示す図である。
【図９】従来の技術における周波数帯域集約の例を示す図である。
【図１０】従来の技術における非対称周波数帯域集約の例を示す図である。
【図１１】従来の技術における物理下りリンク制御チャネルを使用した物理下りリンク共用チャネルの割り当て方法の例を示す図である。
【発明を実施するための形態】
【００５２】
次に、本発明に係る実施形態について、図面を参照しながら説明する。図１は、本発明の実施形態におけるチャネルの一構成例を示す図である。下りリンクの物理チャネルは、物理報知チャネル（PBCH：Physical Broadcast Channel）、物理下りリンク制御チャネル（PDCCH：Physical Downlink Control Channel）、物理下りリンク共用チャネル（PDSCH：Physical Downlink Shared Channel）、物理マルチキャストチャネル（PMCH：Physical Multicast Channel）、物理制御フォーマット指示チャネル（PCFICH：Physical Control Format Indicator Channel）、物理ハイブリッド自動再送要求指示チャネル（PHICH：Physical Hybrid ARQ Indicator Channel）によって構成される。上りリンクの物理チャネルは、物理上りリンク共用チャネル（PUSCH：Physical Uplink Shared Channel）、物理上りリンク制御チャネル（PUCCH：Physical Uplink Control Channel）、物理ランダムアクセスチャネル（PRACH：Physical Random Access Channel）によって構成される。
【００５３】
ＰＢＣＨは、４０ミリ秒間隔で報知チャネル（BCH）をマッピングする。４０ミリ秒のタイミングは、ブラインド検出（blind detection）される。すなわち、タイミング提示のために、明示的なシグナリングを行なわない。また、ＰＢＣＨを含むサブフレームは、そのサブフレームだけで復号できる（自己復号可能：self-decodable）。
【００５４】
ＰＤＣＣＨは、ＰＤＳＣＨのリソース割り当て、下りリンクデータに対するＨＡＲＱ処理情報、および、ＰＵＳＣＨのリソース割り当てなどを、移動局装置に通知（指定）するために使用されるチャネルである。ＰＤＤＣＨは、複数の制御チャネル要素（CCE：Control Channel Element）から構成され、移動局装置は、ＣＣＥから構成されるＰＤＣＣＨを検出することによって、基地局装置からのＰＤＣＣＨを受信する。このＣＣＥは、周波数、時間領域において分散している複数のリソースエレメントグループ（REG：Resource Element Group、mini-CCEとも呼ばれる）によって構成される。ここで、リソースエレメントとは、１ＯＦＤＭシンボル（時間成分）、１サブキャリア（周波数成分）で構成される単位リソースであり、例えば、ＲＥＧは、同一ＯＦＤＭシンボル内の周波数領域において、下りリンクパイロットチャネルを除いて、周波数領域で連続する４個の下りリンクリソースエレメントによって構成される。例えば、１つのＰＤＣＣＨは、ＣＣＥを識別する番号（CCEインデックス）が連続する１個、２個、４個、８個のＣＣＥによって構成される。
【００５５】
ここで、ＰＤＣＣＨは、移動局装置ごと、種別ごとに別々に符号化（Separate Coding）される。すなわち、移動局装置は、複数のＰＤＣＣＨを検出して、下りリンクまたは上りリンクのリソース割り当てや、その他の制御情報を取得する。各ＰＤＣＣＨにはＣＲＣ（巡回冗長検査）の値が付与されており、移動局装置は、ＰＤＣＣＨが構成される可能性のあるＣＣＥのセットのそれぞれに対してＣＲＣを行ない、ＣＲＣが成功したＰＤＣＣＨを取得することができる。これは、ブラインドデコーディング（blind decoding）とも呼称され、移動局装置が、ブラインドデコーディングを行なうＰＤＣＣＨが構成される可能性のあるＣＣＥのセットの範囲は、検索領域（Search Space）と呼称される。すなわち、移動局装置は、検索領域内のＣＣＥに対して、ブラインドデコーディングを行ない、ＰＤＣＣＨの検出を行なう。
【００５６】
移動局装置は、ＰＤＣＣＨに、ＰＤＳＣＨのリソース割り当てが含まれる場合、基地局装置からのＰＤＣＣＨによって指示されたリソース割り当てに応じて、ＰＤＳＣＨを使用して、データ（以下、下りリンク信号とも呼称する）（下りリンクデータ（下りリンク共用チャネル（DL-SCH））および／または下りリンク制御データ（下りリンク制御情報））を受信する。すなわち、このＰＤＣＣＨは、下りリンクに対するリソース割り当てを行なう信号（以下、「下りリンク送信許可信号」、「下りリンクグラント」とも呼称する）である。また、移動局装置は、ＰＤＣＣＨに、ＰＵＳＣＨのリソース割り当てが含まれる場合、基地局装置からのＰＤＣＣＨによって指示されたリソース割り当てに応じて、ＰＵＳＣＨを使用して、データ（以下、上りリンク信号とも呼称する）（上りリンクデータ（上りリンク共用チャネル（UL-SCH））および／または上りリンク制御データ（上りリンク制御情報））を送信する。すなわち、このＰＤＣＣＨは、上りリンクに対するデータ送信を許可する信号（以下、「上りリンク送信許可信号」、「上りリンクグラント」とも呼称する）である。
【００５７】
ＰＤＳＣＨは、下りリンクデータ（下りリンク共用チャネル：DL-SCH）またはページング情報（ページングチャネル：PCH）を送信するために使用されるチャネルである。ＰＭＣＨは、マルチキャストチャネル（MCH）を送信するために利用するチャネルであり、下りリンク参照信号、上りリンク参照信号、物理下りリンク同期信号が別途配置される。
【００５８】
ここで、下りリンクデータ（DL-SCH）とは、例えば、ユーザーデータの送信を示しており、ＤＬ-ＳＣＨは、トランスポートチャネルである。ＤＬ-ＳＣＨでは、ＨＡＲＱ、動的適応無線リンク制御がサポートされ、また、ビームフォーミングを利用可能である。ＤＬ-ＳＣＨは、動的なリソース割り当て、および、準静的なリソース割り当てがサポートされる。
【００５９】
ＰＵＳＣＨは、主に、上りリンクデータ（上りリンク共用チャネル：UL-SCH）を送信するために使用されるチャネルである。また、基地局装置が、移動局装置をスケジューリングした場合には、上りリンク制御情報もＰＵＳＣＨを使用して送信される。この上りリンク制御情報には、下りリンクのチャネル状態を示すチャネル状態情報ＣＳＩ（Channel State InformationまたはChannel Statistical Information）や、下りリンクのチャネル品質識別子ＣＱＩ（Channel Quality Indicator）や、プレコーディングマトリックス識別子ＰＭＩ（Precoding Matrix Indicator）や、ランク識別子ＲＩ（Rank Indicator）や、ＨＡＲＱにおける制御情報が含まれる。ここで、ＨＡＲＱにおける制御情報とは、基地局装置から送信されるＰＤＣＣＨおよび／または下りリンクトランスポートブロックに対するＡＣＫ／ＮＡＣＫを示す情報および／またはＤＴＸを示す情報である。ＤＴＸを示す情報とは、移動局装置が、基地局装置から送信されるＰＤＣＣＨを検出できなかったことを示す情報である。
【００６０】
ここで、上りリンクデータ（UL-SCH）とは、例えば、ユーザーデータの送信を示しており、ＵＬ-ＳＣＨは、トランスポートチャネルである。ＵＬ-ＳＣＨでは、ＨＡＲＱ、動的適応無線リンク制御がサポートされ、また、ビームフォーミングを利用可能である。ＵＬ-ＳＣＨは、動的なリソース割り当て、および、準静的なリソース割り当てがサポートされる。
【００６１】
また、上りリンクデータ（UL-SCH）および下りリンクデータ（DL-SCH）には、基地局装置と移動局装置の間でやり取りされる無線資源制御信号（以下、「RRCシグナリング：Radio Resource Control Signaling」と呼称する）、ＭＡＣ（Medium Access Control）コントロールエレメントなどが含まれていても良い。基地局装置と移動局装置は、ＲＲＣシグナリングを上位層（無線リソース制御（Radio Resource Control）層）で送受信する。また、基地局装置と移動局装置は、ＭＡＣコントロールエレメントを上位層（媒体アクセス制御（MAC：Medium Access Control）層）で送受信する。
【００６２】
ＰＵＣＣＨは、上りリンク制御情報を送信するために使用されるチャネルである。ここで上りリンク制御情報とは、例えば、下りリンクのチャネル状態を示すチャネル状態情報ＣＳＩや、下りリンクのチャネル品質識別子ＣＱＩや、プレコーディングマトリックス識別子ＰＭＩや、ランク識別子ＲＩや、移動局装置が上りリンクデータを送信するためのリソースの割り当てを要求する（UL-SCHでの送信を要求する）スケジューリング要求（SR：Scheduling Request）や、ＨＡＲＱにおける制御情報が含まれる。
【００６３】
ＰＣＦＩＣＨは、ＰＤＣＣＨのために使用されるＯＦＤＭシンボル数を移動局装置に通知するために利用するチャネルであり、各サブフレームで送信される。ＰＨＩＣＨは、上りリンクデータ（UL-SCH）に対するＨＡＲＱのＡＣＫ／ＮＡＣＫを送信するために利用するチャネルである。ＰＲＡＣＨは、ランダムアクセスプリアンブルを送信するために使用されるチャネルであり、ガードタイムを持つ。図１に示すように、本実施形態に係る移動通信システムは、基地局装置１００と、移動局装置２００と、から構成される。
【００６４】
［基地局装置１００の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００６５】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００６６】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００６７】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００６８】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００６９】
スケジューリング部１０４は、媒体アクセス制御（MAC：Medium Access Control）層の処理を行なう。スケジューリング部１０４は、論理チャネルとトランスポートチャネルのマッピング、下りリンクおよび上りリンクのスケジューリング（HARQ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００７０】
スケジューリング部１０４は、下りリンクのスケジューリングでは、移動局装置２００から受信したフィードバック情報（上りリンクのチャネル状態情報（CSI、CQI、PMI、RI）や、下りリンクデータに対するACK/NACK情報など）、各移動局装置２００の使用可能なＰＲＢの情報、バッファ状況、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００７１】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００７２】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００７３】
チャネル推定部１０５は、上りリンクデータの復調のために、上りリンク復調用参照信号（DRS：Demodulation Reference Signal）から上りリンクのチャネル状態を推定し、その推定結果を受信データ復調部１０６に出力する。また、上りリンクのスケジューリングを行なうために、上りリンク測定用参照信号（SRS：Sounding Reference Signal）から上りリンクのチャネル状態を推定し、その推定結果をスケジューリング部１０４に出力する。
【００７４】
受信データ復調部１０６は、ＯＦＤＭ方式、および／または、ＳＣ-ＦＤＭＡ方式に変調された受信データを復調するＯＦＤＭ復調部および／またはＤＦＴ-Ｓｐｒｅａｄ-ＯＦＤＭ（DFT-S-OFDM）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００７５】
データ抽出部１０７は、受信データ復調部１０６から入力されたデータに対して、正誤を確認するとともに、確認結果（肯定信号ACK／否定信号NACK）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から通知されたチャネル状態情報ＣＳＩや、下りリンクのチャネル品質識別子ＣＱＩや、プレコーディングマトリックス識別子ＰＭＩや、ランク識別子ＲＩや、ＨＡＲＱにおける制御情報、スケジューリング要求などが含まれている。
【００７６】
上位層１０８は、パケットデータ統合プロトコル（PDCP:Packet Data Convergence Protocol）層、無線リンク制御（RLC:Radio Link Control）層、無線リソース制御（RRC:Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００７７】
上位層１０８は、無線リソース制御部１１０（制御部とも言う）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（UEID）の管理などを行なっている。上位層１０８は、別の基地局装置１００への情報および上位ノードへの情報の授受を行なう。
【００７８】
［移動局装置２００の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００７９】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００８０】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００８１】
送信データ変調部２０２は、送信データをＯＦＤＭ方式、および／または、ＳＣ-ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００８２】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００８３】
スケジューリング部２０４は、媒体アクセス制御（MAC：Medium Access Control）層の処理を行なう。スケジューリング部２０４は、論理チャネルとトランスポートチャネルのマッピング、下りリンクおよび上りリンクのスケジューリング（HARQ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８４】
スケジューリング部２０４は、下りリンクのスケジューリングでは、基地局装置１００や上位層２０８からのスケジューリング情報（トランスポートフォーマットやHARQ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００８５】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやHARQ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００８６】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報ＣＳＩや、下りリンクのチャネル品質識別子ＣＱＩ、プレコーディングマトリックス識別子ＰＭＩ、ランク識別子ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００８７】
チャネル推定部２０５は、下りリンクデータの復調のために、下りリンク参照信号（RS）から下りリンクのチャネル状態を推定し、その推定結果を受信データ復調部２０６に出力する。また、チャネル推定部２０５は、基地局装置１００に下りリンクのチャネル状態（無線伝搬路状態）の推定結果を通知するために、下りリンク参照信号（RS）から下りリンクのチャネル状態を推定し、この推定結果を下りリンクのチャネル状態情報ＣＳＩや、下りリンクのチャネル品質識別子ＣＱＩや、プレコーディングマトリックス識別子ＰＭＩや、ランク識別子ＲＩとして、スケジューリング部２０４に出力する。
【００８８】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００８９】
データ抽出部２０７は、受信データ復調部２０６から入力されたデータに対して、ＣＲＣチェックを行ない、正誤を確認するとともに、確認結果（肯定応答ACK／否定応答NACK）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００９０】
上位層２０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００９１】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（UEID）の管理を行なう。
【００９２】
（第１の実施形態）
次に、基地局装置１００および移動局装置２００を用いた移動通信システムにおける第１の実施形態を説明する。第１の実施形態では、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の領域を使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の領域または第２の領域を使用して、ＨＡＲＱにおける制御情報を基地局装置１００へ送信する。
【００９３】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる第２の領域を指定する第２のパラメータを移動局装置２００へ送信し、移動局装置２００は、基地局装置１００が、ある特定のコンポーネントキャリア以外に配置された１つのＰＤＣＣＨを使用して１つのＰＤＳＣＨを割り当てた（スケジュールした）場合には、第１の領域を使用して、ＨＡＲＱにおける制御情報を基地局装置１００へ送信し、基地局装置１００が、ある特定のコンポーネントキャリアに配置された１つのＰＤＣＣＨを使用して１つのＰＤＳＣＨを割り当てた（スケジュールした）場合には、第２の領域を使用して、ＨＡＲＱにおける制御情報を基地局装置１００へ送信する。
【００９４】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、ある特定のコンポーネントキャリア以外に配置された１つのＰＤＣＣＨを使用して１つのＰＤＳＣＨを割り当てた（スケジュールした）場合には、第１の領域を使用して、ＨＡＲＱにおける制御情報を基地局装置１００へ送信し、基地局装置１００が、ある特定のコンポーネントキャリアに配置された１つのＰＤＣＣＨを使用して１つのＰＤＳＣＨを割り当てた（スケジュールした）場合には、第２の領域を使用して、ＨＡＲＱにおける制御情報を基地局装置１００へ送信する。
【００９５】
さらに、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の送信フォーマットを使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の送信フォーマットまたは第２の送信フォーマットを使用して、ＨＡＲＱにおける制御情報を基地局装置１００へ送信する。
【００９６】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる第２の領域を指定する第２のパラメータを移動局装置２００へ送信し、移動局装置２００は、基地局装置１００が、ある特定のコンポーネントキャリア以外に配置された１つのＰＤＣＣＨを使用して１つのＰＤＳＣＨを割り当てた（スケジュールした）場合には、第１の送信フォーマットを使用して、ＨＡＲＱにおける制御情報を基地局装置１００へ送信し、基地局装置１００が、ある特定のコンポーネントキャリアに配置された１つのＰＤＣＣＨを使用して１つのＰＤＳＣＨを割り当てた（スケジュールした）場合には、第２の送信フォーマットを使用して、ＨＡＲＱにおける制御情報を基地局装置１００へ送信する。
【００９７】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、ある特定のコンポーネントキャリア以外に配置された１つのＰＤＣＣＨを使用して１つのＰＤＳＣＨを割り当てた（スケジュールした）場合には、第１の送信フォーマットを使用して、ＨＡＲＱにおける制御情報を基地局装置１００へ送信し、基地局装置１００が、ある特定のコンポーネントキャリアに配置された１つのＰＤＣＣＨを使用して１つのＰＤＳＣＨを割り当てた（スケジュールした）場合には、第２の送信フォーマットを使用して、ＨＡＲＱにおける制御情報を基地局装置１００へ送信する。
【００９８】
ここで、移動局装置２００から送信されるＨＡＲＱにおける制御情報とは、基地局装置１００から送信されるＰＤＣＣＨおよび／または下りリンクトランスポートブロックに対するＡＣＫ／ＮＡＣＫを示す情報および／またはＤＴＸを示す情報が含まれる。ＤＴＸを示す情報とは、移動局装置２００が、基地局装置１００から送信されるＰＤＣＣＨを検出できなかったことを示す情報である。
【００９９】
また、基地局装置１００から移動局装置２００へ送信される第１のパラメータには、移動局装置２００が、ＰＵＣＣＨを利用可能な第１の領域を指定する帯域幅（ＰＵＣＣＨリソース領域の帯域幅）を示す情報が含まれる。また、第１のパラメータには、移動局装置２００が、ＰＵＣＣＨを利用可能な第１の領域を指定する直交リソースを指示する情報（直交リソースに関する情報、直交リソースを算出するための情報でも良い）が含まれる。また、第１のパラメータには、移動局装置２００が、第１の送信フォーマットを利用可能な帯域幅（PUCCHリソース領域の帯域幅）を示す情報が含まれる。また、第１のパラメータには、移動局装置２００が、第１の送信フォーマットを利用可能な直交リソースを指示する情報（直交リソースに関する情報、直交リソースを算出するための情報でも良い）が含まれる。
【０１００】
さらに、基地局装置１００から移動局装置２００へ送信される第２のパラメータには、移動局装置２００が、ＰＵＣＣＨを利用可能な第２の領域を指定する帯域幅（PUCCHリソース領域の帯域幅）を示す情報が含まれる。また、第２のパラメータには、移動局装置２００が、ＰＵＣＣＨを利用可能な第２の領域を指定する直交リソースを指示する情報（直交リソースに関する情報、直交リソースを算出するための情報でも良い）が含まれる。また、第２のパラメータには、移動局装置２００が、第２の送信フォーマットを利用可能な帯域幅（PUCCHリソース領域の帯域幅）を示す情報が含まれる。また、第２のパラメータには、移動局装置２００が、第２の送信フォーマットを利用可能な直交リソースを指示する情報（直交リソースに関する情報、直交リソースを算出するための情報でも良い）が含まれる。
【０１０１】
以下、本実施形態では、周波数帯域は、帯域幅（Hz）で定義されているが、周波数と時間で構成されるリソースブロック（RB）の数で定義されても良い。すなわち、帯域幅は、リソースブロックの数によって定義されても良い。また、帯域幅やリソースブロックの数は、サブキャリアの数によって定義することもできる。本実施形態におけるコンポーネントキャリアとは、（広帯域な）周波数帯域（システム帯域でも良い）を持った移動通信システムにおいて、基地局装置１００と移動局装置２００が通信を行なう際に複合的に使用する（狭帯域な）周波数帯域を示している。基地局装置１００と移動局装置２００は、複数のコンポーネントキャリア（例えば、２０MHzの帯域幅を持った５つの周波数帯域）を集約することによって、（広帯域な）周波数帯域（例えば、１００MHzの帯域幅を持った周波数帯域）を構成し、これら複数のコンポーネントキャリアを複合的に使用することによって、高速なデータ通信（情報の送受信）を実現することができる。
【０１０２】
コンポーネントキャリアとは、この（広帯域な）周波数帯域（例えば、１００MHzの帯域幅を持った周波数帯域）を構成する（狭帯域な）周波数帯域（例えば、２０MHzの帯域幅を持った周波数帯域）それぞれのことを示している。また、コンポーネントキャリアとは、この（狭帯域な）周波数帯域それぞれの（中心）キャリア周波数を示していても良い。すなわち、下りリンクコンポーネントキャリアは、基地局装置１００と移動局装置２００が、下りリンクの情報を送受信する際に使用可能な周波数帯域の中の一部の帯域（幅）を有し、上りリンクコンポーネントキャリアは、基地局装置１００と移動局装置２００が、上りリンクの情報を送受信する際に使用可能な周波数帯域の中の一部の帯域（幅）を有している。さらに、コンポーネントキャリアは、ある特定の物理チャネル（例えば、PDCCH、PUCCHなど）が構成される単位として定義されてもよい。
【０１０３】
また、コンポーネントキャリアは、連続な周波数帯域に配置されていても、不連続な周波数帯域に配置されていてもよく、基地局装置１００と移動局装置２００は、連続および／または不連続な周波数帯域である複数のコンポーネントキャリアを集約することによって、広帯域な周波数帯域を構成し、これら複数のコンポーネントキャリアを複合的に使用することによって、高速なデータ通信（情報の送受信）を実現することができる。
【０１０４】
さらに、コンポーネントキャリアによって構成される下りリンクの通信に使用される周波数帯域と上りリンクの通信に使用される周波数帯域は、同じ帯域幅である必要はなく、基地局装置１００と移動局装置２００は、コンポーネントキャリアによって構成される異なる帯域幅を持った下りリンクの周波数帯域、上りリンクの周波数帯域を複合的に使用して通信を行なうことができる（上述した非対称周波数帯域集約：Asymmetric carrier aggregation）。
【０１０５】
図４は、第１の実施形態が適用可能な移動通信システムの例を示す図である。図４は、第１の実施形態を分かり易く説明するために、図９および図１０の一部を拡大したものである。すなわち、第１の実施形態は、対称周波数帯域集約および非対称周波数帯域集約されたいずれの移動通信システムにでも適用可能である。また、以下の説明は、例として、拡大された一部のコンポーネントキャリアについてのみを記載するが、全てのコンポーネントキャリアにおいて同様の実施形態が適用できることは勿論である。
【０１０６】
図４は、第１の実施形態を説明する例として、３つの下りリンクコンポーネントキャリア（DCC1、DCC2、DCC3）を示している。また、３つの上りリンクコンポーネントキャリア（UCC1、UCC2、UCC3）を示している。
【０１０７】
図４において、基地局装置１００は、下りリンクコンポーネントキャリアに配置された（１つまたは複数の）ＰＤＣＣＨを使用して、同一サブフレームで、（１つまたは複数の）ＰＤＳＣＨを割り当てる（スケジュールする）。ここで、基地局装置１００は、１つのＰＤＣＣＨを使用して、同一サブフレームで、複数のＰＤＳＣＨを割り当てることはできない。
【０１０８】
また、基地局装置１００は、ＰＤＣＣＨが配置されたコンポーネントキャリアと同一のコンポーネントキャリアに配置されたＰＤＳＣＨを割り当てることができる。図４では、例として、基地局装置１００が、ＤＣＣ１に配置されたＰＤＣＣＨ（斜線で示されるPDCCH）を使用して、ＤＣＣ１に配置されたＰＤＳＣＨを割り当てていることが、実線で示されている。また、基地局装置１００が、ＤＣＣ２に配置されたＰＤＣＣＨ（格子線で示されるPDCCH）を使用して、ＤＣＣ２に配置されたＰＤＳＣＨを割り当てていることが、実線で示されている。また、基地局装置１００が、ＤＣＣ３に配置されたＰＤＣＣＨ（網線で示されるPDCCH）を使用して、ＤＣＣ３に配置されたＰＤＳＣＨを割り当てていることが、実線で示されている。
【０１０９】
また、図４において、基地局装置１００は、ＰＤＣＣＨが配置されたコンポーネントキャリアと同一、または、異なるコンポーネントキャリアに配置されたＰＤＳＣＨを割り当てることができる。例えば、基地局装置１００は、ＰＤＣＣＨにコンポーネントキャリア指示フィールド（CIF：Component carrier Indicator Field、例えば、３ビットで表される情報フィールド）を含めて移動局装置２００へ送信することで、ＰＤＣＣＨが配置されたコンポーネントキャリアと同一、または、異なるコンポーネントキャリアに配置されたＰＤＳＣＨを割り当てることができる。すなわち、基地局装置１００は、ＰＤＣＣＨを使用して割り当てるＰＤＳＣＨが配置されるコンポーネントキャリアを指示するコンポーネントキャリア指示フィールドを、ＰＤＣＣＨに含めて送信し、ＰＤＣＣＨが配置されたコンポーネントキャリアと同一、または、異なるコンポーネントキャリアに配置されたＰＤＳＣＨを移動局装置２００へ割り当てる。
【０１１０】
ここで、基地局装置１００から送信されるＰＤＣＣＨに含まれるコンポーネントキャリア指示フィールドが、どの値を示している場合に、どのコンポーネントキャリアに配置されたＰＤＳＣＨを割り当てているのかは予め規定され、基地局装置１００と移動局装置２００の間で既知の情報としておく。
【０１１１】
例えば、基地局装置１００は、ある特定の値を示す（例えば、３ビットで表される情報フィールドが“０００”を示す）コンポーネントキャリア指示フィールドをＰＤＣＣＨに含めて移動局装置２００へ送信することによって、ＰＤＣＣＨが配置されたコンポーネントキャリアと同一のコンポーネントキャリアに配置されたＰＤＳＣＨを移動局装置２００へ割り当てる。また、基地局装置１００は、ある特定の値以外を示す（例えば、３ビットで表される情報フィールドが“０００”以外を示す）コンポーネントキャリア指示フィールドをＰＤＣＣＨに含めて送信することによって、ＰＤＣＣＨが配置されたコンポーネントキャリアとは異なるコンポーネントキャリアに配置されたＰＤＳＣＨを移動局装置２００へ割り当てる。
【０１１２】
図４では、例として、基地局装置１００が、ＤＣＣ１に配置されたＰＤＣＣＨ（斜線で示されるPDCCH）を使用して、ＤＣＣ２に配置されたＰＤＳＣＨを割り当てていることが、点線で示されている。また、基地局装置１００が、ＤＣＣ２に配置されたＰＤＣＣＨ（格子線で示されるPDCCH）を使用して、ＤＣＣ１に配置されたＰＤＳＣＨを割り当てていることが、点線で示されている。また、基地局装置１００が、ＤＣＣ３に配置されたコンポーネントキャリア指示フィールドを含んだＰＤＣＣＨ（網線で示されるPDCCH）を使用して、ＤＣＣ３に配置されたＰＤＳＣＨを割り当てていることが、点線で示されている。
【０１１３】
さらに、基地局装置１００は、ＰＤＣＣＨにコンポーネントキャリア指示フィールドを含めるかどうかを示す情報を、移動局装置２００毎に設定することができる。例えば、基地局装置１００は、ＰＤＣＣＨにコンポーネントキャリア指示フィールドを含めるかどうかを示す情報を、ＲＲＣシグナリングに含めて移動局装置２００へ設定する。また、基地局装置１００は、ＰＤＣＣＨにコンポーネントキャリア指示フィールドを含めるかどうかを示す情報を、コンポーネントキャリア毎に設定することができる。例えば、基地局装置１００は、ＰＤＣＣＨにコンポーネントキャリア指示フィールドを含めるかどうかを示す情報を、コンポーネントキャリア毎に、ＲＲＣシグナリングに含めて移動局装置２００へ設定する。
【０１１４】
図４において、基地局装置１００は、ＰＤＣＣＨによって割り当てたＰＤＳＣＨを使用して、下りリンクトランスポートブロックを移動局装置２００へ送信する。例えば、基地局装置１００は、ＤＣＣ１、ＤＣＣ２、ＤＣＣ３に配置されたＰＤＣＣＨそれぞれで割り当てたＰＤＳＣＨを使用して、同一サブフレームで、（最大３つまでの、下りリンクコンポーネントキャリアの数に対応した）下りリンクトランスポートブロックを移動局装置２００へ送信する。
【０１１５】
ここで、基地局装置１００は、下りリンクコンポーネントキャリアと上りリンクのコンポーネントキャリアの対応（リンク：linkage）を、セル固有に設定することができる。例えば、基地局装置１００は、下りリンクコンポーネントキャリアと上りリンクのコンポーネントキャリアの対応を、下りリンクコンポーネントキャリアそれぞれで報知する報知情報（報知チャネル）を使用して移動局装置２００へ設定することができる。また、基地局装置１００は、下りリンクコンポーネントキャリアと上りリンクのコンポーネントキャリアの対応を、移動局装置固有に設定することができる。例えば、基地局装置１００は、下りリンクコンポーネントキャリアと上りリンクのコンポーネントキャリアの対応を、ＲＲＣシグナリングを使用して移動局装置２００へ設定することができる。
【０１１６】
図４において、移動局装置２００は、基地局装置１００から送信されたＰＤＣＣＨ（上りリンク送信許可信号とも言える）によって割り当てられたＰＵＳＣＨを使用して、上りリンクトランスポートブロックを基地局装置１００へ送信する。例えば、移動局装置２００は、ＵＣＣ１、ＵＣＣ２、ＵＣＣ３に配置されたＰＵＳＣＨを使用して、同一サブフレームで、（最大３つまでの、上りリンクコンポーネントキャリアの数に対応した）上りリンクトランスポートブロックを基地局装置１００へ送信する。
【０１１７】
また、図４において、移動局装置２００は、基地局装置１００から送信されたＰＤＣＣＨおよび／または下りリンクトランスポートブロックに対するＨＡＲＱにおける制御情報を、ＰＵＣＣＨを使用して基地局装置１００へ送信する。
【０１１８】
ここで、基地局装置１００は、移動局装置２００が、ＨＡＲＱにおける制御情報を送信する上りリンクコンポーネントキャリアを設定することができる。例えば、基地局装置１００は、移動局装置２００が、ＨＡＲＱにおける制御情報を送信するための１つの上りリンクコンポーネントキャリアを、ＲＲＣシグナリングを使用して移動局装置２００へ設定する。図４では、例として、基地局装置１００は、移動局装置２００が、ＨＡＲＱにおける制御情報を送信する上りリンクコンポーネントキャリアとして、ＵＣＣ２を設定していることを示している。移動局装置２００は、基地局装置１００によって設定されたＵＣＣ２に配置されたＰＵＣＣＨを使用して、ＨＡＲＱにおける制御情報を送信する。
【０１１９】
図４において、ＵＣＣ２に配置されたＰＵＣＣＨ（点模様で示されるPUCCHリソース領域）から点線で伸びている領域は、ＵＣＣ２に配置されたＰＵＣＣＨを概念的に示したものである。ここでは、説明を分かり易くするために、横方向を周波数リソース（帯域幅として表されても良い）とし、後述する直交リソースについては記載していない。
【０１２０】
図４において、基地局装置１００は、移動局装置２００が、ＰＵＣＣＨを利用可能な第１の領域（RB3からRB5で示される領域B）を指定する第１のパラメータを送信する。すなわち、基地局装置１００は、ＵＣＣ２に配置されたＰＵＣＣＨリソース領域の中から、移動局装置２００が、ＨＡＲＱにおける制御情報を送信するための第１の領域を指定することができる。例えば、基地局装置１００は、第１のパラメータを、ＲＲＣシグナリングを使用して送信することによって、移動局装置固有に第１の領域を指定する。また、例えば、基地局装置１００は、第１のパラメータを、報知チャネルを使用して送信することによって、セル固有に第１の領域を指定する。
【０１２１】
例えば、基地局装置１００は、第１のパラメータとしてＰＵＣＣＨリソースの帯域幅を送信することによって、第１の領域を指定する。また、例えば、基地局装置１００は、第１のパラメータとして、後述する直交リソースを指示する情報を送信することによって、第１の領域を指定する。ここで、基地局装置１００は、第１のパラメータとして、第１の領域に対する開始位置を通知（設定）することによって、第１の領域を指定することもできる。また、移動局装置２００は、基地局装置１００から第１のパラメータを受信することにより、領域Ａ（RB1、RB2で示される領域A）を認識することができる。
【０１２２】
また、図４において、基地局装置１００は、移動局装置２００が、ＰＵＣＣＨを利用可能な第２の領域（RB6からRB8で示される領域C）を指定する第２のパラメータを送信する。すなわち、基地局装置１００は、ＰＵＣＣＨリソース領域の中から、移動局装置２００が、ＨＡＲＱにおける制御情報を送信するための第２の領域を指定することができる。例えば、基地局装置１００は、第２のパラメータを、ＲＲＣシグナリングを使用して送信することによって、移動局装置固有に第２の領域を指定する。また、例えば、基地局装置１００は、第２のパラメータを、報知チャネルを使用して送信することによって、セル固有に第２の領域を指定する。
【０１２３】
例えば、基地局装置１００は、第２のパラメータとしてＰＵＣＣＨリソースの帯域幅を送信することによって、第２の領域を指定する。また、例えば、基地局装置１００は、第２のパラメータとして、後述する直交リソースを指示する情報を送信することによって、第２の領域を指定する。ここで、基地局装置１００は、第２のパラメータとして第２の領域に対する開始位置を通知（設定）することによって、第２の領域を指定しても良い。
【０１２４】
例えば、図４において、基地局装置１００は、移動局装置２００が、ＰＵＣＣＨを利用可能な第１の領域を指定する第１のパラメータを、ＲＲＣシグナリングを使用して移動局装置２００へ送信し、ＰＵＣＣＨを利用可能な第２の領域を指定する第２のパラメータを、報知チャネルを使用して移動局装置２００へ送信することができる。基地局装置１００が、このように第１のパラメータ、第２のパラメータを送信することによって、移動局装置２００が、ＰＵＣＣＨを利用可能な第１の領域を移動局装置２００毎に設定することが可能となり、ＰＵＣＣＨを利用可能な第２の領域をセル毎に設定することが可能となる。
【０１２５】
さらに、図４において、基地局装置１００は、移動局装置２００が、ＨＡＲＱにおける制御情報を送信するためのＰＵＣＣＨを、ＲＲＣシグナリングを使用して割り当てることができる。すなわち、基地局装置１００は、移動局装置２００に指定した第１の領域、第２の領域それぞれにおいて、領域内のどのＰＵＣＣＨを使用してＨＡＲＱにおける制御情報を送信するのかを、ＲＲＣシグナリングを使用して指示することができる。
【０１２６】
また、基地局装置１００は、移動局装置２００が、ＨＡＲＱにおける制御情報を送信するためのＰＵＣＣＨを、ＰＤＣＣＨに関連付けて割り当てることができる。すなわち、基地局装置１００は、移動局装置２００に指定した第１の領域、第２の領域それぞれにおいて、領域内のどのＰＵＣＣＨを使用してＨＡＲＱにおける制御情報を送信するのかを、ＰＤＣＣＨに関連付けて指示することができる。
【０１２７】
例えば、基地局装置１００は、下りリンクコンポーネントキャリアに配置したＰＤＣＣＨのＰＤＣＣＨリソース領域における位置によって、移動局装置２００が、第１の領域内、第２の領域内それぞれにおいて、領域内のどのＰＵＣＣＨを使用してＨＡＲＱにおける制御情報を送信するのかを指示することができる。すなわち、移動局装置２００は、基地局装置１００から送信されたＰＤＣＣＨが、ＰＤＣＣＨリソース領域にどのように配置されているのかに応じて、第１の領域内、第２の領域内それぞれのＰＵＣＣＨに、ＨＡＲＱにおける制御情報を配置して基地局装置１００へ送信する。ここで、基地局装置１００から送信されるＰＤＣＣＨと、第１の領域内、第２の領域内それぞれのＰＵＣＣＨの対応は、例えば、ＰＤＣＣＨを構成するＣＣＥの先頭のＣＣＥインデックスと、第１の領域内、第２の領域内それぞれのＰＵＣＣＨのインデックスを対応付けることによって規定される。
【０１２８】
図４において、移動局装置２００は、基地局装置１００によって割り当てられたＰＵＣＣＨを使用してＨＡＲＱにおける制御情報を基地局装置１００へ送信する。
【０１２９】
ここで、移動局装置２００は、基地局装置１００が、複数のＰＤＣＣＨを使用して同一サブフレームで複数のＰＤＳＣＨを割り当てた場合には、第１の領域を使用して、ＨＡＲＱにおける制御情報を送信する。ここで、移動局装置２００は、領域Ａ（RB1、RB2で示される領域A）を使用して、例えば、ＣＳＩやＣＱＩを基地局装置１００へ送信する。
【０１３０】
例えば、図４において、移動局装置２００は、基地局装置１００が、ＤＣＣ１、ＤＣＣ２、ＤＣＣ３それぞれに配置されたＰＤＣＣＨを使用して同一サブフレームで３つのＰＤＳＣＨを割り当てた場合には、第１の領域を使用して、ＨＡＲＱにおける制御情報を送信する。また、例えば、移動局装置２００は、基地局装置１００が、ＤＣＣ２に配置された２つのＰＤＣＣＨを使用して同一サブフレームで２つのＰＤＳＣＨを割り当てた場合には、第１の領域を使用して、ＨＡＲＱにおける制御情報を送信する。
【０１３１】
また、図４において、移動局装置２００は、基地局装置１００が、１つのＰＤＣＣＨを使用して１つのＰＤＳＣＨを割り当てた場合には、第１の領域または第２の領域を使用して、ＨＡＲＱにおける制御情報を送信する。
【０１３２】
ここで、移動局装置２００は、基地局装置１００が、ある特定のコンポーネントキャリア以外に配置された１つのＰＤＣＣＨを使用して１つのＰＤＳＣＨを割り当てた場合には、第１の領域を使用して、ＨＡＲＱにおける制御情報を送信する。また、移動局装置２００は、基地局装置１００が、ある特定のコンポーネントキャリアに配置された１つのＰＤＣＣＨを使用して１つのＰＤＳＣＨを割り当てた場合には、第２の領域を使用して、ＨＡＲＱにおける制御情報を送信する。
【０１３３】
図４において、基地局装置１００は、ある特定の下りリンクコンポーネントキャリアを移動局装置２００に対して設定することができる。例えば、基地局装置１００は、報知チャネルを使用して、ある特定の下りリンクコンポーネントキャリアを移動局装置２００へ設定する。また、例えば、基地局装置１００は、ＲＲＣシグナリングを使用して、ある特定の下りリンクコンポーネントキャリアを移動局装置２００へ設定する。
【０１３４】
すなわち、移動局装置２００は、基地局装置１００が、設定したある特定の下りリンクコンポーネントキャリア以外に配置された１つのＰＤＣＣＨを使用して１つのＰＤＳＣＨを割り当てた場合には、第１の領域を使用して、ＨＡＲＱにおける制御情報を送信する。また、移動局装置２００は、基地局装置１００が、設定したある特定の下りリンクコンポーネントキャリアに配置された１つのＰＤＣＣＨを使用して１つのＰＤＳＣＨを割り当てた場合には、第２の領域を使用して、ＨＡＲＱにおける制御情報を送信する。
【０１３５】
例えば、図４において、基地局装置１００が、報知チャネルを使用して、ある特定の下りリンクコンポーネントキャリアとしてＤＣＣ２を設定し、ＤＣＣ１またはＤＣＣ３に配置された１つのＰＤＣＣＨを使用して１つのＰＤＳＣＨを割り当てた場合には、移動局装置２００は、第１の領域を使用して、ＨＡＲＱにおける制御情報を送信する。また、例えば、基地局装置１００が、ＲＲＣシグナリングを使用して、ある特定の下りリンクコンポーネントキャリアとしてＤＣＣ２を設定し、ＤＣＣ１またはＤＣＣ３に配置された１つのＰＤＣＣＨを使用して１つのＰＤＳＣＨを割り当てた場合には、移動局装置２００は、第１の領域を使用して、ＨＡＲＱにおける制御情報を送信する。
【０１３６】
また、例えば、基地局装置１００が、報知チャネルを使用して、ある特定の下りリンクコンポーネントキャリアとしてＤＣＣ２を設定し、ＤＣＣ２に配置された１つのＰＤＣＣＨを使用して１つのＰＤＳＣＨを割り当てた場合には、移動局装置２００は、第２の領域を使用して、ＨＡＲＱにおける制御情報を送信する。また、例えば、基地局装置１００が、ＲＲＣシグナリングを使用して、ある特定の下りリンクコンポーネントキャリアとしてＤＣＣ２を設定し、ＤＣＣ２に配置された１つのＰＤＣＣＨを使用して１つのＰＤＳＣＨを割り当てた場合には、移動局装置２００は、第２の領域を使用して、ＨＡＲＱにおける制御情報を送信する。
【０１３７】
ここで、移動局装置２００は、基地局装置１００が、ある特定の下りリンクコンポーネントキャリアに配置された複数のＰＤＣＣＨを使用して同一サブフレームで複数のＰＤＳＣＨを割り当てた場合には、第１の領域を使用して、ＨＡＲＱにおける制御情報を送信する。
【０１３８】
すなわち、移動局装置２００は、複数のＰＤＣＣＨおよび／または複数のＰＤＳＣＨで送信される下りリンクトランスポートブロックに対するＨＡＲＱにおける制御情報を、第１の領域を使用して、基地局装置１００へ送信する。また、移動局装置２００は、ある特定のコンポーネントキャリア以外に配置された１つのＰＤＣＣＨ、および／または、１つのＰＤＳＣＨで送信される下りリンクトランスポートブロックに対するＨＡＲＱにおける制御情報を、第１の領域を使用して、基地局装置１００へ送信する。
【０１３９】
すなわち、移動局装置２００は、基地局装置１００が、複数のＰＤＣＣＨを使用して同一サブフレームで複数のＰＤＳＣＨを割り当てた場合、または、ある特定のコンポーネントキャリア以外に配置された１つのＰＤＣＣＨを使用して１つのＰＤＳＣＨを割り当てた場合には、第１の領域を使用して、ＨＡＲＱにおける制御情報を送信する。
【０１４０】
また、移動局装置２００は、ある特定のコンポーネントキャリアに配置された１つのＰＤＣＣＨ、および／または、１つのＰＤＳＣＨで送信される下りリンクトランスポートブロックに対するＨＡＲＱにおける制御情報を、第２の領域を使用して、基地局装置１００へ送信する。
【０１４１】
ここで、図４において、基地局装置１００と移動局装置２００は、基地局装置１００によってＨＡＲＱにおける制御情報を送信する上りリンクコンポーネントキャリアとして設定された上りリンクコンポーネントキャリアに対応した下りリンクコンポーネントキャリアを、ある特定の下りリンクコンポーネントキャリアとすることもできる。
【０１４２】
すなわち、図４において、基地局装置１００が、ＨＡＲＱにおける制御情報を送信する上りリンクコンポーネントキャリアとして設定した上りリンクコンポーネントキャリアに対応した下りリンクコンポーネントキャリア以外に配置されたＰＤＣＣＨを使用してＰＤＳＣＨを割り当てた場合には、移動局装置２００は、第１の領域を使用して、ＨＡＲＱにおける制御情報を送信する。また、基地局装置１００が、ＨＡＲＱにおける制御情報を送信する上りリンクコンポーネントキャリアとして設定した上りリンクコンポーネントキャリアに対応した下りリンクコンポーネントキャリアに配置されたＰＤＣＣＨを使用してＰＤＳＣＨを割り当てた場合には、移動局装置２００は、第２の領域を使用して、ＨＡＲＱにおける制御情報を送信する。
【０１４３】
例えば、図４において、基地局装置１００が、報知チャネルを使用して、ＤＣＣ２とＵＣＣ２を対応させ、ＤＣＣ１またはＤＣＣ３に配置されたＰＤＣＣＨを使用してＰＤＳＣＨを割り当てた場合には、移動局装置２００は、第１の領域を使用して、ＨＡＲＱにおける制御情報を送信する。また、例えば、基地局装置１００が、ＲＲＣシグナリングを使用して、ＤＣＣ２とＵＣＣ２を対応させ、ＤＣＣ１またはＤＣＣ３に配置されたＰＤＣＣＨを使用してＰＤＳＣＨを割り当てた場合には、移動局装置２００は、第１の領域を使用して、ＨＡＲＱにおける制御情報を送信する。
【０１４４】
また、例えば、基地局装置１００が、報知チャネルを使用して、ＤＣＣ２とＵＣＣ２を対応させ、ＤＣＣ２に配置されたＰＤＣＣＨを使用してＰＤＳＣＨを割り当てた場合には、移動局装置２００は、第２の領域を使用して、ＨＡＲＱにおける制御情報を送信する。また、例えば、基地局装置１００が、ＲＲＣシグナリングを使用して、ＤＣＣ２とＵＣＣ２を対応させ、ＤＣＣ２に配置されたＰＤＣＣＨを使用してＰＤＳＣＨを割り当てた場合には、移動局装置２００は、第２の領域を使用して、ＨＡＲＱにおける制御情報を送信する。
【０１４５】
ここで、上述したように、図４において、基地局装置１００は、移動局装置２００が、ＨＡＲＱにおける制御情報を送信する上りリンクコンポーネントキャリアとして、ＵＣＣ２を設定している。
【０１４６】
また、上述したように、移動局装置２００は、基地局装置１００が、ある特定の下りリンクコンポーネントキャリアに配置された複数のＰＤＣＣＨを使用して同一サブフレームで複数のＰＤＳＣＨを割り当てた場合には、第１の領域を使用して、ＨＡＲＱにおける制御情報を送信する。
【０１４７】
さらに、図４において、基地局装置１００と移動局装置２００は、初期接続に使用した下りリンクコンポーネントキャリアを、ある特定の下りリンクコンポーネントキャリアとすることもできる。例えば、基地局装置１００と移動局装置２００は、ランダムアクセス手順に使用した下りリンクコンポーネントキャリアを、ある特定の下りリンクコンポーネントキャリアとすることもできる。
【０１４８】
すなわち、図４において、基地局装置１００が、初期接続に使用した下りリンクコンポーネントキャリア以外に配置されたＰＤＣＣＨを使用してＰＤＳＣＨを割り当てた場合には、移動局装置２００は、第１の領域を使用して、ＨＡＲＱにおける制御情報を送信する。また、基地局装置１００が、初期接続に使用した下りリンクコンポーネントキャリアに配置されたＰＤＣＣＨを使用してＰＤＳＣＨを割り当てた場合には、移動局装置２００は、第２の領域を使用して、ＨＡＲＱにおける制御情報を送信する。
【０１４９】
例えば、図４において、基地局装置１００との初期接続をＤＣＣ２で行なった移動局装置２００は、基地局装置１００が、ＤＣＣ１またはＤＣＣ３に配置されたＰＤＣＣＨを使用してＰＤＳＣＨを割り当てた場合には、第１の領域を使用して、ＨＡＲＱにおける制御情報を送信する。また、例えば、基地局装置１００との初期接続をＤＣＣ２で行なった移動局装置２００は、基地局装置１００が、ＤＣＣ２に配置されたＰＤＣＣＨを使用してＰＤＳＣＨを割り当てた場合には、第２の領域を使用して、ＨＡＲＱにおける制御情報を送信する。
【０１５０】
ここで、上述したように、移動局装置２００は、基地局装置１００が、ある特定の下りリンクコンポーネントキャリアに配置された複数のＰＤＣＣＨを使用して同一サブフレームで複数のＰＤＳＣＨを割り当てた場合には、第１の領域を使用して、ＨＡＲＱにおける制御情報を送信する。
【０１５１】
また、図４において、移動局装置２００は、第１の領域を使用してＨＡＲＱにおける制御情報を送信する際に、第１の送信フォーマットを使用して、ＨＡＲＱにおける制御情報を基地局装置１００へ送信する。すなわち、基地局装置１００は、移動局装置２００が、第１の送信フォーマットを利用可能な第１の領域を指定する第１のパラメータを移動局装置２００へ送信し、移動局装置２００は、第１の領域において第１の送信フォーマットを使用して、ＨＡＲＱにおける制御情報を基地局装置１００へ送信する。
【０１５２】
さらに、移動局装置２００は、第２の領域を使用してＨＡＲＱにおける制御情報を送信する際に、第２の送信フォーマットを使用して、ＨＡＲＱにおける制御情報を基地局装置１００へ送信する。すなわち、基地局装置１００は、移動局装置２００が、第２の送信フォーマットを利用可能な第１の領域とは異なる第２の領域を指定する第２のパラメータを移動局装置２００へ送信し、移動局装置２００は、第２の領域において第２の送信フォーマットを使用して、ＨＡＲＱにおける制御情報を基地局装置１００へ送信する。
【０１５３】
すなわち、移動局装置２００は、基地局装置１００が、複数のＰＤＣＣＨを使用して同一サブフレームで複数のＰＤＳＣＨを割り当てた場合には、第１の送信フォーマットを使用して、ＨＡＲＱにおける制御情報を送信する。また、移動局装置２００は、基地局装置１００が、１つのＰＤＣＣＨを使用して１つのＰＤＳＣＨを割り当てた場合には、第１の送信フォーマットまたは第２の送信フォーマットを使用して、ＨＡＲＱにおける制御情報を送信する。
【０１５４】
また、移動局装置２００は、基地局装置１００が、ある特定のコンポーネントキャリア以外に配置された１つのＰＤＣＣＨを使用して１つのＰＤＳＣＨを割り当てた場合には、第１の送信フォーマットを使用して、ＨＡＲＱにおける制御情報を送信する。すなわち、移動局装置２００は、基地局装置１００が、複数のＰＤＣＣＨを使用して同一サブフレームで複数のＰＤＳＣＨを割り当てた場合、または、ある特定のコンポーネントキャリア以外に配置された１つのＰＤＣＣＨを使用して１つのＰＤＳＣＨを割り当てた場合には、第１の送信フォーマットを使用して、ＨＡＲＱにおける制御情報を送信する。
【０１５５】
また、移動局装置２００は、基地局装置１００が、ある特定のコンポーネントキャリアに配置された１つのＰＤＣＣＨを使用して１つのＰＤＳＣＨを割り当てた場合には、第２の送信フォーマットを使用して、ＨＡＲＱにおける制御情報を送信する。
【０１５６】
ここで、移動局装置２００は、第１の送信フォーマットを使用することにより、第２の送信フォーマットを使用して送信可能な上りリンク制御情報（ＨＡＲＱにおける制御情報でも良い）よりも、情報量の多い上りリンク制御情報を送信することができる。
【０１５７】
例えば、移動局装置２００は、ＤＣＣ１、ＤＣＣ２、ＤＣＣ３それぞれに配置された複数のＰＤＣＣＨおよび／または複数の下りリンクトランスポートブロックに対するＨＡＲＱにおける制御情報を、第１の送信フォーマットを使用して、基地局装置１００へ送信する。ここで、例えば、移動局装置２００は、ＤＣＣ２に配置された１つのＰＤＣＣＨおよび／または１つの下りリンクトランスポートブロックに対するＨＡＲＱにおける制御情報を、第２の送信フォーマットを使用して、基地局装置１００へ送信する。すなわち、第１の送信フォーマットを使用してサブフレーム毎に送信可能な情報ビットは、第２の送信フォーマットを使用してサブフレーム毎に送信可能な情報ビットよりも、多くすることが可能である。
【０１５８】
また、移動局装置２００は、第１の送信フォーマットを使用して送信する上りリンク制御情報（HARQにおける制御情報でも良い）に、第２の送信フォーマットを使用して送信する上りリンク制御情報に施す変調方式よりも、多値数の高い変調方式を施すことができる。
【０１５９】
例えば、移動局装置２００は、第１の送信フォーマットを使用して、上りリンク制御情報に８ＰＳＫ（８位相偏移変調：8 Phase Shift Keying）やＱＡＭ（直交振幅変調：Quadrature Amplitude Modulation）を施して、基地局装置１００へ送信する。ここで、例えば、第２の送信フォーマットを使用して、移動局装置２００は、上りリンク制御情報にＢＰＳＫ（２位相偏移変調：Binary Phase Shift Keying）やＱＰＳＫ（４位相偏移変調：Quadrature Phase Shift Keying）を施して、基地局装置１００へ送信する。すなわち、第１の送信フォーマットを使用して送信される上りリンク制御情報には、第２の送信フォーマットを使用して送信される上りリンク情報に施される変調方式よりも、多値数の高い変調方式を施すことが可能である。すなわち、第１の送信フォーマットを使用して送信可能な１シンボルあたりの情報量は、第２の送信フォーマットを使用して送信可能な１シンボルあたりの情報量よりも、多くすることが可能である。
【０１６０】
また、移動局装置２００は、第１の送信フォーマットで送信されるＰＵＣＣＨ（第１の送信フォーマットを使用して送信される上りリンク制御情報（HARQにおける制御情報でも良い）が配置されるPUCCH）の直交リソースと、第２の送信フォーマットで送信されるＰＵＣＣＨ（第２の送信フォーマットを使用して送信される上りリンク制御情報が配置されるPUCCH）の直交リソースを、異なる方法によって構成（生成）することができる。
【０１６１】
ここで、基地局装置１００は、第１の送信フォーマットで送信されるＰＵＣＣＨの直交リソースと、第２の送信フォーマットで送信されるＰＵＣＣＨの直交リソースの構成方法（生成方法）を、移動局装置２００に対して指定しても良い。すなわち、第１の送信フォーマットで送信されるＰＵＣＣＨの直交リソースと、第２の送信フォーマットで送信されるＰＵＣＣＨの直交リソースは、異なる方法によって構成することが可能である。
【０１６２】
図５は、移動局装置２００が、上りリンク制御情報を送信する際に使用するＰＵＣＣＨの直交リソースの構成例を概念的に示したものである。図５では、直交リソースの構成例として、横方向にＣＡＺＡＣシーケンスのサイクリックシフトを示している（１から１２の数で表されるCAZACシーケンスのサイクリックシフトを示している）。
【０１６３】
例えば、移動局装置２００は、ＰＵＣＣＨの直交リソース（黒塗りで示されるCAZACシーケンスのサイクリックシフトの数が３の直交リソース）を使用して、上りリンク制御情報を送信する。すなわち、移動局装置２００は、ＰＵＣＣＨに対して、周波数方向にＣＡＺＡＣシーケンスのサイクリックシフトを施すことによってリソースを直交化させ、直交化させたリソースを使用して、上りリンク制御情報を送信することができる。
【０１６４】
同様に、図６は、移動局装置２００が、上りリンク制御情報を送信する際に使用するＰＵＣＣＨの直交リソースの構成例を概念的に示したものである。図６では、直交リソースの構成例として、縦方向にオーソゴナルシーケンス（直交符号）のインデックスを示している（１から５で表されるオーソゴナルシーケンスのインデックスを示している）。
【０１６５】
例えば、移動局装置２００は、ＰＵＣＣＨの直交リソース（黒塗りで示されるオーソゴナルシーケンスのインデックスが２の直交リソース）を使用して、上りリンク制御情報を送信する。すなわち、移動局装置２００は、ＰＵＣＣＨに対して、時間方向にオーソゴナルシーケンスを施すことによってリソースを直交化させ、直交化させたリソースを使用して、上りリンク制御情報を送信することができる。
【０１６６】
同様に、図７は、移動局装置２００が、上りリンク制御情報を送信する際に使用するＰＵＣＣＨの直交リソースの構成例を概念的に示したものである。図７では、直交リソースの構成例として、横方向にＣＡＺＡＣシーケンスのサイクリックシフト、縦方向にオーソゴナルシーケンスのインデックスを示している（１から１２の数で表されるCAZACシーケンスのサイクリックシフト、１から４で表されるオーソゴナルシーケンスのインデックスを示している）。
【０１６７】
例えば、移動局装置２００は、ＰＵＣＣＨの直交リソース（黒塗りで示されるCAZACシーケンスのサイクリックシフトの数が３、オーソゴナルシーケンスのインデックスが２の直交リソース）を使用して、上りリンク制御情報を送信する。すなわち、移動局装置２００は、ＰＵＣＣＨに対して、周波数方向にＣＡＺＡＣシーケンスのサイクリックシフト、時間方向にオーソゴナルシーケンスを施すことによってリソースを直交化させ、直交化させたリソースを使用して、上りリンク制御情報を送信することができる。
【０１６８】
図４において、移動局装置２００は、上述したような構成方法によって構成されたＰＵＣＣＨの直交リソースで、第１の送信フォーマットまたは第２の送信フォーマットを使用して、上りリンク制御情報（HARQにおける制御情報でも良い）を基地局装置１００へ送信する。
【０１６９】
例えば、移動局装置２００は、図６に示されるようなオーソゴナルシーケンスによって構成されたＰＵＣＣＨの直交リソースで、第１の送信フォーマットを使用して、上りリンク制御情報を送信することができる。また、例えば、移動局装置２００は、図７に示されるようなＣＡＺＡＣシーケンスのサイクリックシフトとオーソゴナルシーケンスによって構成されたＰＵＣＣＨの直交リソースで、第２の送信フォーマットを使用して、上りリンク制御情報を送信することができる。
【０１７０】
ここで、移動通信システムにおいて、直交可能なリソースの数は、あるタイミングにおいて情報を送信することが可能な移動局装置２００の数（多重可能な移動局装置２００の数）に関連する。例えば、図５に示されるように、直交リソースにおけるＣＡＺＡＣシーケンスのサイクリックシフトが１２である場合、最大で１２までの移動局装置２００を多重させることが可能である。同様に、例えば、図６に示されるように、直交リソースにおけるオーソゴナルシーケンスのインデックスが５である場合、最大で５までの移動局装置２００を多重させることが可能である。同様に、例えば、図７に示されるように、直交リソースにおけるＣＡＺＡＣシーケンスのサイクリックシフトが１２、オーソゴナルシーケンスのインデックスが４である場合、最大で４８（１２ｘ４）までの移動局装置２００を多重させることが可能である。
【０１７１】
基地局装置１００は、制御するセル内において、下りリンクリソースの状況や上りリンクリソースの状況、複数のコンポーネントキャリアを使用して通信を行なっている移動局装置２００の数や１つのコンポーネントキャリアを使用して通信を行なっている移動局装置２００の数などを考慮することによって、移動局装置２００が、上りリンク制御情報を送信する第１の送信フォーマットおよび／または第２の送信フォーマットの直交リソースの構成方法を指定することができる。
【０１７２】
ここで、上述したように、基地局装置１００は、移動局装置２００が、ＰＵＣＣＨを利用可能な第１の領域を指定する第１のパラメータ、ＰＵＣＣＨを利用可能な第２の領域を指定する第２のパラメータとして、直交リソースを指示する情報を送信することもできる。また、基地局装置１００は、移動局装置２００が、第１の送信フォーマットを利用可能な第１の領域を指定する第１のパラメータ、第２の送信フォーマットを利用可能な第２の領域を指定する第２のパラメータとして、直交リソースを指示する情報を送信することもできる。
【０１７３】
例えば、基地局装置１００は、第１のパラメータ、第２のパラメータとして、ＣＡＺＡＣシーケンスのサイクリックシフトの数（番号）やオーソゴナルシーケンスのインデックスを移動局装置２００へ送信する。基地局装置１００が、第１のパラメータ、第２のパラメータとして、ＣＡＺＡＣシーケンスのサイクリックシフトの数（番号）やオーソゴナルシーケンスのインデックスを送信することによって、移動局装置２００が、上りリンク制御情報を送信するためのリソースを、より柔軟に指示することができる。
【０１７４】
例えば、基地局装置１００は、ＰＵＣＣＨを利用可能な第１の領域として、ＣＡＺＡＣシーケンスのサイクリックシフトの数３までの領域を指定することができる。また、例えば、基地局装置１００は、ＰＵＣＣＨを利用可能な第１の領域として、オーソゴナルシーケンスのインデックス２までの領域を指定することができる。また、例えば、基地局装置１００は、ＰＵＣＣＨを利用可能な第１の領域として、ＣＡＺＡＣシーケンスのサイクリックシフトの数３、オーソゴナルシーケンスのインデックス２までの領域を指定することができる。
【０１７５】
さらに、移動局装置２００は、第１の送信フォーマットとして、ＨＡＲＱにおける制御情報とＣＱＩを共に（同時に）送信可能な送信フォーマットを使用することができる。すなわち、移動局装置２００は、第１の送信フォーマットを使用して、ＨＡＲＱにおける制御情報とＣＱＩを共に送信することが可能である。例えば、移動局装置２００は、ＤＣＣ１、ＤＣＣ２、ＤＣＣ３それぞれに配置されたＰＤＣＣＨおよび／またはＰＤＳＣＨで送信される下りリンクトランスポートブロックに対するＨＡＲＱにおける制御情報とＣＱＩを共に送信する。移動局装置２００が、第１の送信フォーマットとして、ＨＡＲＱにおける制御情報とＣＱＩを共に送信可能な送信フォーマットを使用することで、基地局装置１００によって割り当てられたＰＵＣＣＨをより効率的に使用して、上りリンク制御情報（HARQにおける制御情報とCQI）を送信することができる。
【０１７６】
また、移動局装置２００は、第１の送信フォーマットとして、ＨＡＲＱにおける制御情報とスケジューリング要求を共に（同時に）送信可能な送信フォーマットを使用することができる。すなわち、移動局装置２００は、第１の送信フォーマットを使用して、ＨＡＲＱにおける制御情報とスケジューリング要求を共に送信することが可能である。例えば、移動局装置２００は、ＤＣＣ１、ＤＣＣ２、ＤＣＣ３それぞれに配置されたＰＤＣＣＨおよび／またはＰＤＳＣＨで送信される下りリンクトランスポートブロックに対するＨＡＲＱにおける制御情報とスケジューリング要求を共に送信する。移動局装置２００が、第１の送信フォーマットとして、ＨＡＲＱにおける制御情報とスケジューリング要求を共に送信可能な送信フォーマットを使用することで、基地局装置１００によって割り当てられたＰＵＣＣＨをより効率的に使用して、上りリンク制御情報（HARQにおける制御情報とスケジューリング要求）を送信することができる。
【０１７７】
上記までに記載したように、第１の実施形態では、基地局装置１００は、移動局装置２００が、ＰＵＣＣＨを利用可能な第１の領域、第２の領域を指定し、移動局装置２００は、基地局装置１００がＰＤＳＣＨを割り当てる（スケジュールする）ＰＤＣＣＨに応じて、第１の領域または第２の領域を使用して、ＨＡＲＱにおける制御情報を送信する。基地局装置１００と移動局装置２００が、上述したように、ＨＡＲＱにおける制御情報を送受信することによって、上りリンクリソースを効率的に使用したＨＡＲＱにおける制御情報の送受信を行なうことができる。
【０１７８】
例えば、複数のコンポーネントキャリアを使用して基地局装置１００と通信を行なっている移動局装置２００が、複数のＰＤＣＣＨおよび／または複数の下りリンクトランスポートブロックに対するＨＡＲＱにおける制御情報を、基地局装置１００から指定された第１の領域におけるＰＵＣＣＨを使用して送信することによって、上りリンクリソースを効率的に使用したＨＡＲＱにおける制御情報の送信を行なうことができる。
【０１７９】
また、基地局装置１００が、ある特定のコンポーネントキャリアに配置された１つのＰＤＣＣＨを使用して１つのＰＤＳＣＨを割り当てた場合には、移動局装置２００が、第２の領域を使用して、ＨＡＲＱにおける制御情報を送信することによって、基地局装置１００と移動局装置２００の間において、少なくともある特定のコンポーネントキャリアにおいて、ＨＡＲＱにおける制御情報の送受信を行なうことができる。
【０１８０】
例えば、基地局装置１００と移動局装置２００の間において、通信に使用するコンポーネントキャリアの数に不一致が生じる状況（例えば、基地局装置１００は５つのDCCを使用して通信を行なっていると判断し、移動局装置２００は３つのDCCを使用して通信を行なっていると判断する状況）において、少なくともある特定のコンポーネントキャリアにおいて、ＨＡＲＱにおける制御情報の送受信を行なうことができ、基地局装置１００と移動局装置２００における通信を継続することが可能となる。
【０１８１】
基地局装置１００においては、第１の領域を指定する第１のパラメータ、第２の領域を指定する第２のパラメータを移動局装置２００に送信することによって、管理するセル内の状況（下りリンクリソースや上りリンクリソース、複数のコンポーネントキャリアを使用して通信を行なっている移動局装置２００の数や１つのコンポーネントキャリアを使用して通信を行なっている移動局装置２００の数など）に応じて、それぞれの領域を指定することが可能となり、より柔軟なＨＡＲＱにおける制御情報の送信制御を行なうことができる。
【０１８２】
また、複数のコンポーネントキャリアを使用して基地局装置１００と通信を行なっている移動局装置２００が、複数のＰＤＣＣＨおよび／または複数の下りリンクトランスポートブロックに対するＨＡＲＱにおける制御情報を、第１の送信フォーマットを使用して送信することによって、上りリンクリソースを効率的に使用したＨＡＲＱにおける制御情報の送信制御を行なうことができる。
【０１８３】
また、移動局装置２００が、第１の送信フォーマット、第２の送信フォーマットを使用して、ＨＡＲＱにおける制御情報を送信することによって、基地局装置１００において、より柔軟なＨＡＲＱにおける制御情報の送信制御を行なうことができる。すなわち、基地局装置１００によって、移動局装置２００が送信するＨＡＲＱにおける制御情報の情報量や、あるタイミングにおいてＨＡＲＱにおける制御情報を送信する移動局装置２００の数などを考慮したＨＡＲＱにおける制御情報の送信制御を行なうことができる。
【０１８４】
（第２の実施形態）
次に、本発明の第２の実施形態について説明する。第２の実施形態では、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の領域を使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の領域または第２の領域を使用して、ＨＡＲＱにおける制御情報を基地局装置１００へ送信する。
【０１８５】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる第２の領域を指定する第２のパラメータを移動局装置２００へ送信し、移動局装置２００は、基地局装置１００が、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた（スケジュールした）場合には、第１の領域を使用して、ＨＡＲＱにおける制御情報を基地局装置１００へ送信し、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた（スケジュールした）場合には、第２の領域を使用して、ＨＡＲＱにおける制御情報を基地局装置１００へ送信する。
【０１８６】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた（スケジュールした）場合には、第１の領域を使用して、ＨＡＲＱにおける制御情報を基地局装置１００へ送信し、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた（スケジュールした）場合には、第２の領域を使用して、ＨＡＲＱにおける制御情報を基地局装置１００へ送信する。
【０１８７】
さらに、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の送信フォーマットを使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の送信フォーマットまたは第２の送信フォーマットを使用して、ＨＡＲＱにおける制御情報を基地局装置１００へ送信する。
【０１８８】
また、基地局装置１００は、移動局装置２００が、第１の送信フォーマットを利用可能な第１の領域を指定する第１のパラメータを移動局装置２００へ送信し、移動局装置２００が、第１の送信フォーマットを利用可能な第１の領域とは異なる第２の領域を指定する第２のパラメータを移動局装置２００へ送信し、移動局装置２００は、基地局装置１００が、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた（スケジュールした）場合には、第１の送信フォーマットを使用して、ＨＡＲＱにおける制御情報を基地局装置１００へ送信し、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた（スケジュールした）場合には、第２の送信フォーマットを使用して、ＨＡＲＱにおける制御情報を基地局装置１００へ送信する。
【０１８９】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる第２の領域を指定する第２のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた（スケジュールした）場合には、第１の送信フォーマットを使用して、ＨＡＲＱにおける制御情報を基地局装置１００へ送信し、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた（スケジュールした）場合には、第２の送信フォーマットを使用して、ＨＡＲＱにおける制御情報を基地局装置１００へ送信する。
【０１９０】
ここで、移動局装置２００から送信されるＨＡＲＱにおける制御情報とは、基地局装置１００から送信されるＰＤＣＣＨおよび／または下りリンクトランスポートブロックに対するＡＣＫ／ＮＡＣＫを示す情報および／またはＤＴＸを示す情報が含まれる。ＤＴＸを示す情報とは、移動局装置２００が、基地局装置１００から送信されるＰＤＣＣＨを検出できなかったことを示す情報である。
【０１９１】
ここで、基地局装置１００から移動局装置２００へ送信される第１のパラメータ、第２のパラメータについては、第１の実施形態で説明したものと同様であるので、その説明を省略する。
【０１９２】
第１の実施形態と同様に、図４を使用して第２の実施形態を説明する。第２の実施形態は、第１の実施形態と同様に、対称周波数帯域集約および非対称周波数帯域集約されたいずれの移動通信システムにでも適用可能である。
【０１９３】
図４において、移動局装置２００は、基地局装置１００によって割り当てられたＰＵＣＣＨを使用して、ＨＡＲＱにおける制御情報を基地局装置１００へ送信する。
【０１９４】
ここで、移動局装置２００は、基地局装置１００が、複数のＰＤＣＣＨを使用して同一サブフレームで複数のＰＤＳＣＨを割り当てた場合には、第１の領域を使用して、ＨＡＲＱにおける制御情報を送信する。ここで、移動局装置２００は、領域Ａ(RB1、RB2で示される領域A）を使用して、例えば、ＣＳＩやＣＱＩを基地局装置１００へ送信する。
【０１９５】
例えば、図４において、移動局装置２００は、基地局装置１００が、ＤＣＣ１、ＤＣＣ２、ＤＣＣ３それぞれに配置されたＰＤＣＣＨを使用して同一サブフレームで３つのＰＤＳＣＨを割り当てた場合には、第１の領域を使用して、ＨＡＲＱにおける制御情報を送信する。また、例えば、移動局装置２００は、基地局装置１００が、ＤＣＣ２に配置された２つのＰＤＣＣＨを使用して同一サブフレームで２つのＰＤＳＣＨを割り当てた場合には、第１の領域を使用して、ＨＡＲＱにおける制御情報を送信する。
【０１９６】
また、図４において、移動局装置２００は、基地局装置１００が、１つのＰＤＣＣＨを使用して１つのＰＤＳＣＨを割り当てた場合には、第１の領域または第２の領域を使用して、ＨＡＲＱにおける制御情報を送信する。
【０１９７】
ここで、移動局装置２００は、基地局装置１００が、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた場合には、第１の領域を使用して、ＨＡＲＱにおける制御情報を送信する。また、移動局装置２００は、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた場合には、第２の領域を使用して、ＨＡＲＱにおける制御情報を送信する。
【０１９８】
第１の実施形態で説明したように、基地局装置１００は、ある特定の下りリンクコンポーネントキャリアを移動局装置２００に対して設定することができる。また、基地局装置１００と移動局装置２００は、基地局装置１００によってＨＡＲＱにおける制御情報を送信する上りリンクコンポーネントキャリアとして設定された上りリンクコンポーネントキャリアに対応した下りリンクコンポーネントキャリアを、ある特定の下りリンクコンポーネントキャリアとすることもできる。基地局装置１００と移動局装置２００は、初期接続に使用した下りリンクコンポーネントキャリアを、ある特定の下りリンクコンポーネントキャリアとすることもできる。
【０１９９】
例えば、図４において、基地局装置１００が、報知チャネルを使用して、ある特定の下りリンクコンポーネントキャリアとしてＤＣＣ２を設定し、ＤＣＣ２に配置された１つのＰＤＣＣＨを使用してＤＣＣ１またはＤＣＣ３に配置された１つのＰＤＳＣＨを割り当てた場合には、移動局装置２００は、第１の領域を使用して、ＨＡＲＱにおける制御情報を送信する。また、例えば、基地局装置１００が、ＲＲＣシグナリングを使用して、ある特定の下りリンクコンポーネントキャリアとしてＤＣＣ２を設定し、ＤＣＣ２に配置された１つのＰＤＣＣＨを使用してＤＣＣ１またはＤＣＣ３に配置された１つのＰＤＳＣＨを割り当てた場合には、移動局装置２００は、第１の領域を使用して、ＨＡＲＱにおける制御情報を送信する。
【０２００】
また、例えば、基地局装置１００が、報知チャネルを使用して、ある特定の下りリンクコンポーネントキャリアとしてＤＣＣ２を設定し、ＤＣＣ２に配置された１つのＰＤＣＣＨを使用してＤＣＣ２に配置された１つのＰＤＳＣＨを割り当てた場合には、移動局装置２００は、第２の領域を使用して、ＨＡＲＱにおける制御情報を送信する。また、例えば、基地局装置１００が、ＲＲＣシグナリングを使用して、ある特定の下りリンクコンポーネントキャリアとしてＤＣＣ２を設定し、ＤＣＣ２に配置された１つのＰＤＣＣＨを使用してＤＣＣ２に配置された１つのＰＤＳＣＨを割り当てた場合には、移動局装置２００は、第２の領域を使用して、ＨＡＲＱにおける制御情報を送信する。
【０２０１】
ここで、移動局装置２００は、基地局装置１００が、ある特定の下りリンクコンポーネントキャリアに配置された複数のＰＤＣＣＨを使用して同一サブフレームで複数のＰＤＳＣＨを割り当てた場合には、第１の領域を使用して、ＨＡＲＱにおける制御情報を送信する。
【０２０２】
すなわち、移動局装置２００は、複数のＰＤＣＣＨおよび／または複数のＰＤＳＣＨで送信される下りリンクトランスポートブロックに対するＨＡＲＱにおける制御情報を、第１の領域を使用して、基地局装置１００へ送信する。また、移動局装置２００は、ある特定のコンポーネントキャリアに配置された１つのＰＤＣＣＨ、および／または、ＰＤＣＣＨが配置されたコンポーネントキャリアとは異なるコンポーネントキャリアに配置された１つのＰＤＳＣＨで送信される下りリンクトランスポートブロックに対するＨＡＲＱにおける制御情報を、第１の領域を使用して、基地局装置１００へ送信する。
【０２０３】
すなわち、移動局装置２００は、基地局装置が、複数のＰＤＣＣＨを使用して同一サブフレームで複数のＰＤＳＣＨを割り当てた場合、または、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた場合には、第１の領域を使用して、ＨＡＲＱにおける制御情報を送信する。
【０２０４】
また、移動局装置２００は、ある特定のコンポーネントキャリアに配置された１つのＰＤＣＣＨ、および／または、ＰＤＣＣＨが配置されたコンポーネントキャリアと同一のコンポーネントキャリアに配置された１つのＰＤＳＣＨで送信される下りリンクトランスポートブロックに対するＨＡＲＱにおける制御情報を、第２の領域を使用して、基地局装置１００へ送信する。
【０２０５】
ここで、第１の実施形態で説明したように、移動局装置２００は、第１の領域を使用してＨＡＲＱにおける制御情報を送信する際に、第１の送信フォーマットを使用して、ＨＡＲＱにおける制御情報を基地局装置１００へ送信する。また、移動局装置２００は、第２の領域を使用してＨＡＲＱにおける制御情報を送信する際に、第２の送信フォーマットを使用して、ＨＡＲＱにおける制御情報を基地局装置１００へ送信する。
【０２０６】
すなわち、移動局装置２００は、基地局装置１００が、複数のＰＤＣＣＨを使用して同一サブフレームで複数のＰＤＳＣＨを割り当てた場合には、第１の送信フォーマットを使用して、ＨＡＲＱにおける制御情報を送信する。また、移動局装置２００は、基地局装置１００が、１つのＰＤＣＣＨを使用して１つのＰＤＳＣＨを割り当てた場合には、第１の送信フォーマットまたは第２の送信フォーマットを使用して、ＨＡＲＱにおける制御情報を送信する。
【０２０７】
また、移動局装置２００は、基地局装置１００が、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた場合には、第１の送信フォーマットを使用して、ＨＡＲＱにおける制御情報を送信する。すなわち、移動局装置２００は、基地局装置１００が、複数のＰＤＣＣＨを使用して同一サブフレームで複数のＰＤＳＣＨを割り当てた場合、または、ある特定のコンポーネントキャリアに配置された１つのＰＤＣＣＨを使用してＰＤＣＣＨが配置されたコンポーネントキャリアとは異なるコンポーネントキャリアに配置された１つのＰＤＳＣＨを割り当てた場合には、第１の送信フォーマットを使用して、ＨＡＲＱにおける制御情報を送信する。
【０２０８】
また、移動局装置２００は、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた場合には、第２の送信フォーマットを使用して、ＨＡＲＱにおける制御情報を送信する。
【０２０９】
ここで、第１の送信フォーマット、第２の送信フォーマットについては、第１の実施形態で説明したものと同様であるので、その説明を省略する。
【０２１０】
上記までに記載したように、第２の実施形態では、基地局装置１００は、移動局装置２００が、ＰＵＣＣＨを利用可能な第１の領域、第２の領域を指定し、移動局装置２００は、基地局装置１００がＰＤＳＣＨを割り当てる（スケジュールする）ＰＤＣＣＨに応じて、第１の領域または第２の領域を使用して、ＨＡＲＱにおける制御情報を送信する。基地局装置１００と移動局装置２００が、上述したように、ＨＡＲＱにおける制御情報を送受信することによって、上りリンクリソースを効率的に使用したＨＡＲＱにおける制御情報の送受信を行なうことができる。
【０２１１】
例えば、複数のコンポーネントキャリアを使用して基地局装置１００と通信を行なっている移動局装置２００が、複数のＰＤＣＣＨおよび／または複数の下りリンクトランスポートブロックに対するＨＡＲＱにおける制御情報を、基地局装置１００から指定された第１の領域におけるＰＵＣＣＨを使用して送信することによって、上りリンクリソースを効率的に使用したＨＡＲＱにおける制御情報の送信を行なうことができる。
【０２１２】
また、移動局装置２００が、基地局装置１００が、ある特定のコンポーネントキャリアに配置された１つのＰＤＣＣＨを使用してＰＤＣＣＨが配置されたコンポーネントキャリアと同一のコンポーネントキャリアに配置された１つのＰＤＳＣＨを割り当てた場合には、第２の領域を使用して、ＨＡＲＱにおける制御情報を送信することによって、基地局装置１００と移動局装置２００の間において、少なくともある特定のコンポーネントキャリアにおいて、ＨＡＲＱにおける制御情報の送受信を行なうことができる。
【０２１３】
例えば、基地局装置１００と移動局装置２００の間において、通信に使用するコンポーネントキャリアの数に不一致が生じる状況（例えば、基地局装置１００は５つのDCCを使用して通信を行なっていると判断し、移動局装置２００は３つのDCCを使用して通信を行なっていると判断する状況）において、少なくともある特定のコンポーネントキャリアにおいて、ＨＡＲＱにおける制御情報の送受信を行なうことができ、基地局装置１００と移動局装置２００における通信を継続することが可能となる。
【０２１４】
基地局装置１００においては、第１の領域を指定する第１のパラメータ、第２の領域を指定する第２のパラメータを移送局装置に送信することによって、管理するセル内の状況（下りリンクリソースや上りリンクリソース、複数のコンポーネントキャリアを使用して通信を行なっている移動局装置２００の数や１つのコンポーネントキャリアを使用して通信を行なっている移動局装置２００の数など）に応じて、それぞれの領域を指定することが可能となり、より柔軟なＨＡＲＱにおける制御情報の送信制御を行なうことができる。
【０２１５】
また、複数のコンポーネントキャリアを使用して基地局装置１００と通信を行なっている移動局装置２００が、複数のＰＤＣＣＨおよび／または複数の下りリンクトランスポートブロックに対するＨＡＲＱにおける制御情報を、第１の送信フォーマットを使用して送信することによって、上りリンクリソースを効率的に使用したＨＡＲＱにおける制御情報の送信制御を行なうことができる。
【０２１６】
また、移動局装置２００が、第１の送信フォーマット、第２の送信フォーマットを使用して、ＨＡＲＱにおける制御情報を送信することによって、基地局装置１００において、より柔軟なＨＡＲＱにおける制御情報の送信制御を行なうことができる。すなわち、基地局装置１００によって、移動局装置２００が送信するＨＡＲＱにおける制御情報の情報量や、あるタイミングにおいてＨＡＲＱにおける制御情報を送信する移動局装置２００の数などを考慮したＨＡＲＱにおける制御情報の送信制御を行なうことができる。
【０２１７】
（第３の実施形態）
次に、本発明の第３の実施形態について説明する。第３の実施形態では、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の領域を使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の領域または複数の領域のいずれかの領域を使用して、ＨＡＲＱにおける制御情報を基地局装置１００へ送信する。
【０２１８】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる複数の領域を指定する複数のパラメータを移動局装置２００へ送信し、移動局装置２００は、基地局装置１００が、１つのＰＤＣＣＨを使用してＰＤＣＣＨが配置されたコンポーネントキャリアとは異なるコンポーネントキャリアに配置された１つのＰＤＳＣＨを割り当てた場合には、第１の領域を使用して、ＨＡＲＱにおける制御情報を基地局装置１００へ送信し、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、複数の領域のいずれかの領域を使用して、ＨＡＲＱにおける制御情報を基地局装置１００へ送信する。
【０２１９】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、１つのＰＤＣＣＨを使用してＰＤＣＣＨが配置されたコンポーネントキャリアとは異なるコンポーネントキャリアに配置された１つのＰＤＳＣＨを割り当てた場合には、第１の領域を使用して、ＨＡＲＱにおける制御情報を基地局装置１００へ送信し、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、複数の領域のいずれかの領域を使用して、ＨＡＲＱにおける制御情報を基地局装置１００へ送信する。
【０２２０】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の送信フォーマットを使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の送信フォーマットまたは第２の送信フォーマットを使用して、ＨＡＲＱにおける制御情報を基地局装置１００へ送信する。
【０２２１】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる複数の領域を指定する複数のパラメータを移動局装置２００へ送信し、移動局装置２００は、基地局装置１００が、１つのＰＤＣＣＨを使用してＰＤＣＣＨが配置されたコンポーネントキャリアとは異なるコンポーネントキャリアに配置された１つのＰＤＳＣＨを割り当てた場合には、第１の送信フォーマットを使用して、ＨＡＲＱにおける制御情報を基地局装置１００へ送信し、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、第２の送信フォーマットを使用して、ＨＡＲＱにおける制御情報を基地局装置１００へ送信する。
【０２２２】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、１つのＰＤＣＣＨを使用してＰＤＣＣＨが配置されたコンポーネントキャリアとは異なるコンポーネントキャリアに配置された１つのＰＤＳＣＨを割り当てた場合には、第１の送信フォーマットを使用して、ＨＡＲＱにおける制御情報を基地局装置１００へ送信し、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、第２の送信フォーマットを使用して、ＨＡＲＱにおける制御情報を基地局装置１００へ送信する。ここで、移動局装置２００から送信されるＨＡＲＱにおける制御情報とは、基地局装置１００から送信されるＰＤＣＣＨおよび／または下りリンクトランスポートブロックに対するＡＣＫ／ＮＡＣＫを示す情報および／またはＤＴＸを示す情報が含まれる。ＤＴＸを示す情報とは、移動局装置２００が、基地局装置１００から送信されるＰＤＣＣＨを検出できなかったことを示す情報である。
【０２２３】
図８は、第３の実施形態が適用可能な移動通信システムの例を示す図である。図８は、第３の実施形態を説明する分かり易くするために、図９および図１０の一部を拡大したものである。すなわち、第３の実施形態は、対称周波数帯域集約および非対称周波数帯域集約されたいずれの移動通信システムにでも適用可能である。また、以下の説明は、例として、拡大された一部のコンポーネントキャリアについてのみを記載するが、全てのコンポーネントキャリアにおいて同様の実施形態が適用できることは勿論である。
【０２２４】
図８は、第３の実施形態を説明する例として、３つの下りリンクコンポーネントキャリア（DCC1、DCC2、DCC3）を示している。また、３つの上りリンクコンポーネントキャリア（UCC1、UCC2、UCC3）を示している。図８において、基地局装置１００と移動局装置２００は、第１の実施形態で説明したように、ＰＤＣＣＨ、ＰＤＳＣＨ、ＰＵＳＣＨ、ＰＵＣＣＨ等を使用して、下りリンク／上りリンクの通信を行なう。
【０２２５】
図８において、ＵＣＣ１に配置されたＰＵＣＣＨ（点模様で示されるPUCCHリソース領域）、ＵＣＣ２に配置されたＰＵＣＣＨ（横線で示されるPUCCHリソース領域）、ＵＣＣ３に配置されたＰＵＣＣＨ（縦線で示されるPUCCHリソース領域）それぞれから点線で伸びている領域は、ＵＣＣ１、ＵＣＣ２、ＵＣＣ３に配置されたＰＵＣＣＨを概念的に示したものである。ここでは、説明を分かり易くするために、横方向を周波数リソース（帯域幅として表されても良い）とし、上述した直交リソースについては記載していない。
【０２２６】
第１の実施形態で説明しように、基地局装置１００は、移動局装置２００が、ＰＵＣＣＨを利用可能な第１の領域（RB3からRB5で示される領域B）を指定する第１のパラメータを送信する。同様に、基地局装置１００は、移動局装置２００が、ＰＵＣＣＨを利用可能な第２の領域（RB6、RB7で示される領域D-1）を指定する第２のパラメータを送信する。同様に、基地局装置１００は、移動局装置２００が、ＰＵＣＣＨを利用可能な第３の領域（RB8、RB9で示される領域D-2）を指定する第３のパラメータを送信する。同様に、基地局装置１００は、移動局装置２００が、ＰＵＣＣＨを利用可能な第４の領域（RB10、RB11で示される領域D-3）を指定する第４のパラメータを送信する。
【０２２７】
ここで、図８では、例として、基地局装置１００が、第４の領域までを移動局装置２００へ指定しているが、基地局装置１００が指定する領域の数は、基地局装置１００と移動局装置２００が通信に使用する下りリンクコンポーネントキャリアの数に対応して変化する。
【０２２８】
また、第１の実施形態で説明したように、基地局装置１００は、移動局装置２００が、ＨＡＲＱにおける制御情報を送信する上りリンクコンポーネントキャリアを設定することができる。図８では、基地局装置１００は、移動局装置２００が、ＨＡＲＱにおける制御情報を送信する上りリンクコンポーネントキャリアとして、ＵＣＣ１を設定している。
【０２２９】
また、第１の実施形態で説明したように、基地局装置１００は、移動局装置２００が、ＨＡＲＱにおける制御情報を送信するためのＰＵＣＣＨを、移動局装置２００へ割り当てる。移動局装置２００は、基地局装置１００によって割り当てられたＰＵＣＣＨを使用してＨＡＲＱにおける制御情報を、基地局装置１００へ送信する。
【０２３０】
ここで、図８において、移動局装置２００は、基地局装置１００が、複数のＰＤＣＣＨを使用して同一サブフレームで複数のＰＤＳＣＨを割り当てた場合には、第１の領域を使用して、ＨＡＲＱにおける制御情報を送信する。ここで、移動局装置２００は、領域Ａ（RB1、RB2で示される領域A）を使用して、例えば、ＣＳＩやＣＱＩを基地局装置１００へ送信する。
【０２３１】
例えば、図８において、移動局装置２００は、基地局装置１００が、ＤＣＣ１、ＤＣＣ２、ＤＣＣ３それぞれに配置されたＰＤＣＣＨを使用して同一サブフレームで３つのＰＤＳＣＨを割り当てた場合には、第１の領域を使用して、ＨＡＲＱにおける制御情報を送信する。また、例えば、移動局装置２００は、基地局装置１００が、ＤＣＣ２に配置された２つのＰＤＣＣＨを使用して同一サブフレームで２つのＰＤＳＣＨを割り当てた場合には、第１の領域を使用して、ＨＡＲＱにおける制御情報を送信する。
【０２３２】
また、例えば、移動局装置２００は、基地局装置１００が、１つのＰＤＣＣＨを使用して１つのＰＤＳＣＨを割り当てた場合には、第１の領域または複数の領域のいずれかの領域を使用して、ＨＡＲＱにおける制御情報を送信する。
【０２３３】
ここで、移動局装置２００は、基地局装置１００が、１つのＰＤＣＣＨを使用してＰＤＣＣＨが配置されたコンポーネントキャリアとは異なるコンポーネントキャリアに配置された１つのＰＤＳＣＨを割り当てた場合には、第１の領域を使用して、ＨＡＲＱにおける制御情報を送信する。また、移動局装置２００は、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、複数の領域のいずれかの領域（第２の領域または第３の領域または第４の領域）を使用して、ＨＡＲＱにおける制御情報を基地局装置１００へ送信する。
【０２３４】
例えば、図８において、基地局装置１００が、ＤＣＣ１に配置された１つのＰＤＣＣＨを使用してＤＣＣ２またはＤＣＣ３に配置された１つのＰＤＳＣＨを割り当てた場合には、移動局装置２００は、第１の領域を使用して、ＨＡＲＱにおける制御情報を送信する。また、例えば、基地局装置１００が、ＤＣＣ２に配置された１つのＰＤＣＣＨを使用してＤＣＣ１またはＤＣＣ３に配置された１つのＰＤＳＣＨを割り当てた場合には、移動局装置２００は、第１の領域を使用して、ＨＡＲＱにおける制御情報を送信する。また、例えば、基地局装置１００が、ＤＣＣ３に配置された１つのＰＤＣＣＨを使用してＤＣＣ１またはＤＣＣ２に配置された１つのＰＤＳＣＨを割り当てた場合には、移動局装置２００は、第１の領域を使用して、ＨＡＲＱにおける制御情報を送信する。
【０２３５】
また、例えば、基地局装置１００が、ＤＣＣ１に配置された１つのＰＤＣＣＨを使用してＤＣＣ１に配置された１つのＰＤＳＣＨを割り当てた場合には、移動局装置２００は、第２の領域（複数の領域のいずれかの領域）を使用して、ＨＡＲＱにおける制御情報を送信する。また、例えば、基地局装置１００が、ＤＣＣ２に配置された１つのＰＤＣＣＨを使用してＤＣＣ２に配置された１つのＰＤＳＣＨを割り当てた場合には、移動局装置２００は、第３の領域（複数の領域のいずれかの領域）を使用して、ＨＡＲＱにおける制御情報を送信する。また、例えば、基地局装置１００が、ＤＣＣ３に配置された１つのＰＤＣＣＨを使用してＤＣＣ３に配置された１つのＰＤＳＣＨを割り当てた場合には、移動局装置２００は、第４の領域（複数の領域のいずれかの領域）を使用して、ＨＡＲＱにおける制御情報を送信する。
【０２３６】
ここで、第１の実施形態で説明したように、基地局装置１００は、下りリンクコンポーネントキャリアと上りリンクコンポーネントキャリアを対応させることができる。図８では、基地局装置１００は、ＤＣＣ１とＵＣＣ１、ＤＣＣ２とＵＣＣ２、ＤＣＣ３とＵＣＣ３を対応させていることを示している。すなわち、移動局装置２００は、下りリンクコンポーネントキャリアに対応する上りリンクコンポーネントキャリアに配置されたＰＵＣＣＨの領域で、ＨＡＲＱにおける制御情報を基地局装置１００へ送信する。
【０２３７】
すなわち、図８において、移動局装置２００は、ＤＣＣ１に対応したＵＣＣ１に配置されたＰＵＣＣＨの領域（第２の領域）を使用して、ＤＣＣ１で送信されるＰＤＣＣＨおよび／または下りリンクトランスポートブロックに対するＨＡＲＱにおける制御情報を送信する。また、移動局装置２００は、ＤＣＣ２に対応したＵＣＣ２に配置されたＰＵＣＣＨの領域（第３の領域）を使用して、ＤＣＣ２で送信されるＰＤＣＣＨおよび／または下りリンクトランスポートブロックに対するＨＡＲＱにおける制御情報を送信する。また、移動局装置２００は、ＤＣＣ３に対応したＵＣＣ３に配置されたＰＵＣＣＨの領域（第４の領域）を使用して、ＤＣＣ３で送信されるＰＤＣＣＨおよび／または下りリンクトランスポートブロックに対するＨＡＲＱにおける制御情報を送信する。
【０２３８】
すなわち、移動局装置２００は、複数のＰＤＣＣＨおよび／または複数のＰＤＳＣＨで送信される下りリンクトランスポートブロックに対するＨＡＲＱにおける制御情報を、第１の領域を使用して、基地局装置１００へ送信する。また、移動局装置２００は、１つのＰＤＣＣＨ、および／または、１つのＰＤＣＣＨが配置されたコンポーネントキャリアとは異なるコンポーネントキャリアに配置された１つのＰＤＳＣＨで送信される下りリンクトランスポートブロックに対するＨＡＲＱにおける制御情報を、第１の領域を使用して、基地局装置１００へ送信する。
【０２３９】
すなわち、移動局装置２００は、基地局装置１００が、複数のＰＤＣＣＨを使用して同一サブフレームで複数のＰＤＳＣＨを割り当てた場合、または、１つのＰＤＣＣＨを使用してＰＤＣＣＨが配置されたコンポーネントキャリアとは異なるコンポーネントキャリアに配置された１つのＰＤＳＣＨを割り当てた場合には、第１の領域を使用して、ＨＡＲＱにおける制御情報を送信する。
【０２４０】
また、移動局装置２００は、１つのＰＤＣＣＨ、および／または、１つのＰＤＣＣＨが配置されたコンポーネントキャリアと同一のコンポーネントキャリアに配置された１つのＰＤＳＣＨで送信される下りリンクトランスポートブロックに対するＨＡＲＱにおける制御情報を、複数の領域のいずれかの領域の領域を使用して、基地局装置１００へ送信する。
【０２４１】
ここで、図８において、移動局装置２００は、第１の領域を使用してＨＡＲＱにおける制御情報を送信する際に、第１の送信フォーマットを使用して、ＨＡＲＱにおける制御情報を基地局装置１００へ送信する。また、移動局装置２００は、複数の領域のいずれかの領域を使用してＨＡＲＱにおける制御情報を送信する際に、第２の送信フォーマットを使用して、ＨＡＲＱにおける制御情報を基地局装置１００へ送信する。
【０２４２】
すなわち、移動局装置２００は、基地局装置１００が、複数のＰＤＣＣＨを使用して同一サブフレームで複数のＰＤＳＣＨを割り当てた場合には、第１の送信フォーマットを使用して、ＨＡＲＱにおける制御情報を送信する。また、移動局装置２００は、基地局装置１００が、１つのＰＤＣＣＨを使用して１つのＰＤＳＣＨを割り当てた場合には、第１の送信フォーマットまたは第２の送信フォーマットを使用して、ＨＡＲＱにおける制御情報を送信する。
【０２４３】
また、移動局装置２００は、基地局装置１００が、１つのＰＤＣＣＨを使用してＰＤＣＣＨが配置されたコンポーネントキャリアとは異なるコンポーネントキャリアに配置された１つのＰＤＳＣＨを割り当てた場合には、第１の送信フォーマットを使用して、ＨＡＲＱにおける制御情報を基地局装置１００へ送信する。すなわち、移動局装置２００は、基地局装置１００が、複数のＰＤＣＣＨを使用して同一サブフレームで複数のＰＤＳＣＨを割り当てた場合、または、１つのＰＤＣＣＨを使用してＰＤＣＣＨが配置されたコンポーネントキャリアとは異なるコンポーネントキャリアに配置された１つのＰＤＳＣＨを割り当てた場合には、第１の送信フォーマットを使用して、ＨＡＲＱにおける制御情報を基地局装置１００へ送信する。
【０２４４】
また、移動局装置２００は、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、第２の送信フォーマットを使用して、ＨＡＲＱにおける制御情報を基地局装置１００へ送信する。
【０２４５】
ここで、第１の送信フォーマット、第２の送信フォーマットについては、第１の実施形態で説明したものと同様であるので、その説明を省略する。
【０２４６】
上記までに記載したように、第３の実施形態では、基地局装置１００は、移動局装置２００が、ＰＵＣＣＨを利用可能な第１の領域、複数の領域を指定し、移動局装置２００は、基地局装置１００がＰＤＳＣＨを割り当てる（スケジュールする）ＰＤＣＣＨに応じて、第１の領域または複数の領域のいずれかの領域を使用して、ＨＡＲＱにおける制御情報を送信する。基地局装置１００と移動局装置２００が、上述したように、ＨＡＲＱにおける制御情報を送受信することによって、上りリンクリソースを効率的に使用したＨＡＲＱにおける制御情報の送受信を行なうことができる。
【０２４７】
例えば、複数のコンポーネントキャリアを使用して基地局装置１００と通信を行なっている移動局装置２００が、複数のＰＤＣＣＨおよび／または複数の下りリンクトランスポーロブロックに対するＨＡＲＱにおける制御情報を、基地局装置１００から指定された第１の領域におけるＰＵＣＣＨを使用して送信することによって、上りリンクリソースを効率的に使用したＨＡＲＱにおける制御情報の送信を行なうことができる。
【０２４８】
また、移動局装置２００が、基地局装置１００が、１つのＰＤＣＣＨを使用してＰＤＣＣＨが配置されたコンポーネントキャリアと同一のコンポーネントキャリアに配置された１つのＰＤＳＣＨを割り当てた場合には、複数の領域のいずれかの領域を使用して、ＨＡＲＱにおける制御情報を送信することによって、基地局装置１００と移動局装置２００の間において、少なくとも１つのコンポーネントキャリアにおいて（それぞれのコンポーネントキャリアにおいて）、ＨＡＲＱにおける制御情報の送受信を行なうことができる。
【０２４９】
例えば、基地局装置１００と移動局装置２００の間において、通信に使用するコンポーネントキャリアの数に不一致が生じる状況（例えば、基地局装置１００は５つのDCCを使用して通信を行なっていると判断し、移動局装置２００は３つのDCCを使用して通信を行なっていると判断する状況）において、少なくとも１つのコンポーネントキャリアにおいて（それぞれのコンポーネントキャリアにおいて）、ＨＡＲＱにおける制御情報の送受信を行なうことができ、基地局装置１００と移動局装置２００における通信を継続することが可能となる。
【０２５０】
基地局装置１００においては、第１の領域を指定する第１のパラメータ、複数の領域を指定する複数のパラメータを移送局装置に送信することによって、管理するセル内の状況（下りリンクリソースや上りリンクリソース、複数のコンポーネントキャリアを使用して通信を行なっている移動局装置２００の数や１つのコンポーネントキャリアを使用して通信を行なっている移動局装置２００の数など）に応じて、それぞれの領域を指定することが可能となり、より柔軟なＨＡＲＱにおける制御情報の送信制御を行なうことができる。
【０２５１】
また、複数のコンポーネントキャリアを使用して基地局装置１００と通信を行なっている移動局装置２００が、複数のＰＤＣＣＨおよび／または複数の下りリンクトランスポーロブロックに対するＨＡＲＱにおける制御情報を、第１の送信フォーマットを使用して送信することによって、上りリンクリソースを効率的に使用したＨＡＲＱにおける制御情報の送信制御を行なうことができる。
【０２５２】
また、移動局装置２００が、第１の送信フォーマット、第２の送信フォーマットを使用して、ＨＡＲＱにおける制御情報を送信することによって、基地局装置１００において、より柔軟なＨＡＲＱにおける制御情報の送信制御を行なうことができる。すなわち、基地局装置１００によって、移動局装置２００が送信するＨＡＲＱにおける制御情報の情報量や、あるタイミングにおいてＨＡＲＱにおける制御情報を送信する移動局装置２００の数などを考慮したＨＡＲＱにおける制御情報の送信制御を行なうことができる。
【０２５３】
（第４の実施形態）
次に、本発明の第４の実施形態について説明する。第４の実施形態では、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の領域を使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の領域または複数の領域のいずれかの領域を使用して、ＨＡＲＱにおける制御情報を基地局装置１００へ送信する。
【０２５４】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる複数の領域を指定する複数のパラメータを移動局装置２００へ送信し、移動局装置２００は、基地局装置１００が、コンポーネントキャリア指示フィールドを含む１つのＰＤＣＣＨを使用して１つのＰＤＳＣＨを割り当てた（スケジュールした）場合には、第１の領域を使用して、ＨＡＲＱにおける制御情報を基地局装置１００へ送信し、基地局装置１００が、コンポーネントキャリア指示フィールドを含まない１つのＰＤＣＣＨを使用して１つのＰＤＳＣＨを割り当てた（スケジュールした）場合には、複数の領域のいずれかの領域を使用して、ＨＡＲＱにおける制御情報を基地局装置１００へ送信する。
【０２５５】
また、基地局装置１００は、移動局装置２００が、ＰＵＣＣＨを利用可能な第１の領域を指定する第１のパラメータを移動局装置２００へ送信し、移動局装置２００が、ＰＵＣＣＨを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、コンポーネントキャリア指示フィールドを含む１つのＰＤＣＣＨを使用して１つのＰＤＳＣＨを割り当てた（スケジュールした）場合には、第１の領域を使用して、ＨＡＲＱにおける制御情報を基地局装置１００へ送信し、基地局装置１００が、コンポーネントキャリア指示フィールドを含まない１つのＰＤＣＣＨを使用して１つのＰＤＳＣＨを割り当てた（スケジュールした）場合には、複数の領域のいずれかの領域を使用して、ＨＡＲＱにおける制御情報を基地局装置１００へ送信する。
【０２５６】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合には、第１の送信フォーマットを使用して、ＨＡＲＱにおける制御情報を基地局装置１００へ送信し、基地局装置１００が、１つのＰＤＣＣＨを使用して１つのＰＤＳＣＨを割り当てた（スケジュールした）場合には、第１の送信フォーマットまたは第２の送信フォーマットを使用して、ＨＡＲＱにおける制御情報を基地局装置１００へ送信する。
【０２５７】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる複数の領域を指定する複数のパラメータを移動局装置２００へ送信し、移動局装置２００は、基地局装置１００が、コンポーネントキャリア指示フィールドを含む１つのＰＤＣＣＨを使用して１つのＰＤＳＣＨを割り当てた（スケジュールした）場合には、第１の送信フォーマットを使用して、ＨＡＲＱにおける制御情報を基地局装置１００へ送信し、基地局装置１００が、コンポーネントキャリア指示フィールドを含まない１つのＰＤＣＣＨを使用して１つのＰＤＳＣＨを割り当てた（スケジュールした）場合には、第２の送信フォーマットを使用して、ＨＡＲＱにおける制御情報を基地局装置１００へ送信する。
【０２５８】
また、基地局装置１００は、移動局装置２００が、第１の送信フォーマットを利用可能な第１の領域を指定する第１のパラメータを移動局装置２００へ送信し、移動局装置２００が、第２の送信フォーマットを利用可能な第１の領域とは異なる複数の領域を指定する複数のパラメータを移動局装置２００へ送信し、移動局装置２００は、基地局装置１００が、複数のＰＤＣＣＨを使用して同一サブフレームで複数のＰＤＳＣＨを割り当てた（スケジュールした）場合、または、コンポーネントキャリア指示フィールドを含む１つのＰＤＣＣＨを使用して１つのＰＤＳＣＨを割り当てた（スケジュールした）場合には、第１の送信フォーマットを使用して、ＨＡＲＱにおける制御情報を基地局装置１００へ送信し、基地局装置１００が、コンポーネントキャリア指示フィールドを含まない１つのＰＤＣＣＨを使用して１つのＰＤＳＣＨを割り当てた（スケジュールした）場合には、第２の送信フォーマットを使用して、ＨＡＲＱにおける制御情報を基地局装置１００へ送信する。
【０２５９】
ここで、移動局装置２００から送信されるＨＡＲＱにおける制御情報とは、基地局装置１００から送信されるＰＤＣＣＨおよび／または下りリンクトランスポートブロックに対するＡＣＫ／ＮＡＣＫを示す情報および／またはＤＴＸを示す情報が含まれる。ＤＴＸを示す情報とは、移動局装置２００が、基地局装置１００から送信されるＰＤＣＣＨを検出できなかったことを示す情報である。
【０２６０】
ここで、基地局装置１００から移動局装置２００へ送信される第１のパラメータ、複数のパラメータについては、第３の実施形態で説明したものと同様であるので、その説明を省略する。
【０２６１】
第３の実施形態と同様に、図８を使用して第４の実施形態を説明する。第４の実施形態は、第３の実施形態と同様に、対称周波数帯域集約および非対称周波数帯域集約されたいずれの移動通信システムにでも適用可能である。
【０２６２】
図８において、移動局装置２００は、基地局装置１００によって割り当てられたＰＵＣＣＨを使用して、ＨＡＲＱにおける制御情報を基地局装置１００へ送信する。
【０２６３】
ここで、移動局装置２００は、基地局装置１００が、複数のＰＤＣＣＨを使用して同一サブフレームで複数のＰＤＳＣＨを割り当てた場合には、第１の領域を使用して、ＨＡＲＱにおける制御情報を送信する。ここで、移動局装置２００は、領域Ａ（RB1、RB2で示される領域A）を使用して、例えば、ＣＳＩやＣＱＩを基地局装置１００へ送信する。
【０２６４】
例えば、図８において、移動局装置２００は、基地局装置１００が、ＤＣＣ１、ＤＣＣ２、ＤＣＣ３それぞれに配置されたＰＤＣＣＨを使用して同一サブフレームで３つのＰＤＳＣＨを割り当てた場合には、第１の領域を使用して、ＨＡＲＱにおける制御情報を送信する。また、例えば、移動局装置２００は、基地局装置１００が、ＤＣＣ２に配置された２つのＰＤＣＣＨを使用して同一サブフレームで２つのＰＤＳＣＨを割り当てた場合には、第１の領域を使用して、ＨＡＲＱにおける制御情報を送信する。
【０２６５】
また、移動局装置２００は、基地局装置１００が、１つのＰＤＣＣＨを使用して１つのＰＤＳＣＨを割り当てた場合には、第１の領域または複数の領域のいずれかの領域を使用して、ＨＡＲＱにおける制御情報を送信する。
【０２６６】
ここで、移動局装置２００は、基地局装置１００が、コンポーネントキャリア指示フィールドを含む１つのＰＤＣＣＨを使用して１つのＰＤＳＣＨを割り当てた場合には、第１の領域を使用して、ＨＡＲＱにおける制御情報を送信する。また、移動局装置２００は、基地局装置１００が、コンポーネントキャリア指示フィールドを含まない１つのＰＤＣＣＨを使用して１つのＰＤＳＣＨを割り当てた場合には、複数の領域のいずれかの領域（第２の領域または第３の領域または第４の領域）を使用して、ＨＡＲＱにおける制御情報を送信する。
【０２６７】
上述したように、基地局装置１００は、ＰＤＣＣＨにコンポーネントキャリア指示フィールドを含めて送信することによって、ＰＤＣＣＨが配置されたコンポーネントキャリアと同一、または、異なるコンポーネントキャリアに配置されたＰＤＳＣＨを移動局装置２００へ割り当てることができる。また、基地局装置１００は、ＰＤＣＣＨにコンポーネントキャリア指示フィールドを含めるかどうかを示す情報を、コンポーネントキャリア毎に、移動局装置２００毎に設定することができる。
【０２６８】
例えば、図８において、基地局装置１００が、ＤＣＣ１に配置されたコンポーネントキャリア指示フィールドを含んだ１つのＰＤＣＣＨを使用して１つのＰＤＳＣＨを割り当てた場合には、移動局装置２００は、第１の領域を使用して、ＨＡＲＱにおける制御情報を送信する。また、例えば、基地局装置１００が、ＤＣＣ２に配置されたコンポーネントキャリア指示フィールドを含んだ１つのＰＤＣＣＨを使用して１つのＰＤＳＣＨを割り当てた場合には、移動局装置２００は、第１の領域を使用して、ＨＡＲＱにおける制御情報を送信する。また、例えば、基地局装置１００が、ＤＣＣ３に配置されたコンポーネントキャリア指示フィールドを含んだ１つのＰＤＣＣＨを使用して１つのＰＤＳＣＨを割り当てた場合には、移動局装置２００は、第１の領域を使用して、ＨＡＲＱにおける制御情報を送信する。
【０２６９】
また、例えば、基地局装置１００が、ＤＣＣ１に配置されたコンポーネントキャリア指示フィールドを含まない１つのＰＤＣＣＨを使用してＤＣＣ１に配置された１つのＰＤＳＣＨを割り当てた場合には、移動局装置２００は、第２の領域（複数の領域のいずれかの領域）を使用して、ＨＡＲＱにおける制御情報を送信する。また、例えば、基地局装置１００が、ＤＣＣ２に配置されたコンポーネントキャリア指示フィールドを含まない１つのＰＤＣＣＨを使用してＤＣＣ２に配置された１つのＰＤＳＣＨを割り当てた場合には、移動局装置２００は、第３の領域（複数の領域のいずれかの領域）を使用して、ＨＡＲＱにおける制御情報を送信する。また、例えば、基地局装置１００が、ＤＣＣ３に配置されたコンポーネントキャリア指示フィールドを含まない１つのＰＤＣＣＨを使用してＤＣＣ３に配置された１つのＰＤＳＣＨを割り当てた場合には、移動局装置２００は、第４の領域（複数の領域のいずれかの領域）を使用して、ＨＡＲＱにおける制御情報を送信する。
【０２７０】
ここで、基地局装置１００は、コンポーネントキャリア指示フィールドを含まない１つのＰＤＣＣＨを使用してＰＤＣＣＨが配置されたコンポーネントキャリアと異なるコンポーネントキャリアに配置された１つのＰＤＳＣＨを割り当てることはできない。
【０２７１】
ここで、第１の実施形態で説明したように、基地局装置１００は、下りリンクコンポーネントキャリアと上りリンクコンポーネントキャリアを対応させることができる。図８では、基地局装置１００は、ＤＣＣ１とＵＣＣ１、ＤＣＣ２とＵＣＣ２、ＤＣＣ３とＵＣＣ３を対応させていることを示している。すなわち、移動局装置２００は、下りリンクコンポーネントキャリアに対応する上りリンクコンポーネントキャリアに配置されたＰＵＣＣＨの領域で、ＨＡＲＱにおける制御情報を基地局装置１００へ送信する。
【０２７２】
すなわち、移動局装置２００は、複数のＰＤＣＣＨおよび／または複数のＰＤＳＣＨで送信される下りリンクトランスポートブロックに対するＨＡＲＱにおける制御情報を、第１の領域を使用して、基地局装置１００へ送信する。また、移動局装置２００は、コンポーネントキャリア指示フィールドを含む１つのＰＤＣＣＨ、および／または、１つのＰＤＳＣＨで送信される下りリンクトランスポートブロックに対するＨＡＲＱにおける制御情報を、第１の領域を使用して、基地局装置１００へ送信する。
【０２７３】
すなわち、移動局装置２００は、基地局装置１００が、複数のＰＤＣＣＨを使用して同一サブフレームで複数のＰＤＳＣＨを割り当てた場合、または、コンポーネントキャリア指示フィールドを含む１つのＰＤＣＣＨを使用して１つのＰＤＳＣＨを割り当てた場合には、第１の領域を使用して、ＨＡＲＱにおける制御情報を送信する。
【０２７４】
また、移動局装置２００は、コンポーネントキャリア指示フィールドを含まない１つのＰＤＣＣＨ、および／または、１つのＰＤＳＣＨで送信される下りリンクトランスポートブロックに対するＨＡＲＱにおける制御情報を、複数の領域のいずれかの領域を使用して、基地局装置１００へ送信する。
【０２７５】
ここで、図８において、移動局装置２００は、第１の領域を使用してＨＡＲＱにおける制御情報を送信する際に、第１の送信フォーマットを使用して、ＨＡＲＱにおける制御情報を基地局装置１００へ送信する。また、移動局装置２００は、複数の領域のいずれかの領域を使用してＨＡＲＱにおける制御情報を送信する際に、第２の送信フォーマットを使用して、ＨＡＲＱにおける制御情報を基地局装置１００へ送信する。
【０２７６】
すなわち、移動局装置２００は、基地局装置１００が、複数のＰＤＣＣＨを使用して同一サブフレームで複数のＰＤＳＣＨを割り当てた場合には、第１の送信フォーマットを使用して、ＨＡＲＱにおける制御情報を送信する。また、移動局装置２００は、基地局装置１００が、１つのＰＤＣＣＨを使用して１つのＰＤＳＣＨを割り当てた場合には、第１の送信フォーマットまたは第２の送信フォーマットを使用して、ＨＡＲＱにおける制御情報を送信する。
【０２７７】
また、移動局装置２００は、基地局装置１００が、コンポーネントキャリア指示フィールドを含む１つのＰＤＣＣＨを使用して１つのＰＤＳＣＨを割り当てた場合には、第１の送信フォーマットを使用して、ＨＡＲＱにおける制御情報を基地局装置１００へ送信する。すなわち、移動局装置２００は、基地局装置１００が、複数のＰＤＣＣＨを使用して同一サブフレームで複数のＰＤＳＣＨを割り当てた場合、または、コンポーネントキャリア指示フィールドを含む１つのＰＤＣＣＨを使用して１つのＰＤＳＣＨを割り当てた場合には、第１の送信フォーマットを使用して、ＨＡＲＱにおける制御情報を基地局装置１００へ送信する。
【０２７８】
また、移動局装置２００は、基地局装置１００が、コンポーネントキャリア指示フィールドを含まない１つのＰＤＣＣＨを使用して１つのＰＤＳＣＨを割り当てた場合には、第２の送信フォーマットを使用して、ＨＡＲＱにおける制御情報を基地局装置１００へ送信する。
【０２７９】
ここで、第１の送信フォーマット、第２の送信フォーマットについては、第１の実施形態で説明したものと同様であるので、その説明を省略する。
【０２８０】
上記までに記載したように、第４の実施形態では、基地局装置１００は、移動局装置２００が、ＰＵＣＣＨを利用可能な第１の領域、複数の領域を指定し、移動局装置２００は、基地局装置１００がＰＤＳＣＨを割り当てる（スケジュールする）ＰＤＣＣＨに応じて、第１の領域または複数の領域のいずれかの領域を使用して、ＨＡＲＱにおける制御情報を送信する。基地局装置１００と移動局装置２００が、上述したように、ＨＡＲＱにおける制御情報を送受信することによって、上りリンクリソースを効率的に使用したＨＡＲＱにおける制御情報の送受信を行なうことができる。
【０２８１】
例えば、複数のコンポーネントキャリアを使用して基地局装置１００と通信を行なっている移動局装置２００が、複数のＰＤＣＣＨおよび／または複数の下りリンクトランスポートブロックに対するＨＡＲＱにおける制御情報を、基地局装置１００から指定された第１の領域におけるＰＵＣＣＨを使用して送信することによって、上りリンクリソースを効率的に使用したＨＡＲＱにおける制御情報の送信を行なうことができる。
【０２８２】
また、移動局装置２００が、基地局装置１００が、コンポーネントキャリア指示フィールドを含まない１つのＰＤＣＣＨを使用して１つのＰＤＳＣＨを割り当てた場合には、複数の領域のいずれかの領域を使用して、ＨＡＲＱにおける制御情報を送信することによって、基地局装置１００と移動局装置２００の間において、コンポーネントキャリア指示フィールドを含まないＰＤＣＣＨが送信されるコンポーネントキャリアにおいて、ＨＡＲＱにおける制御情報の送受信を行なうことができる。
【０２８３】
例えば、基地局装置１００と移動局装置２００の間において、通信に使用するコンポーネントキャリアの数に不一致が生じる状況（例えば、基地局装置１００は５つのDCCを使用して通信を行なっていると判断し、移動局装置２００は３つのDCCを使用して通信を行なっていると判断する状況）において、コンポーネントキャリア指示フィールドを含まないＰＤＣＣＨが送信されるコンポーネントキャリアにおいて、ＨＡＲＱにおける制御情報の送受信を行なうことができ、基地局装置１００と移動局装置２００における通信を継続することが可能となる。
【０２８４】
基地局装置１００においては、第１の領域を指定する第１のパラメータ、複数の領域を指定する複数のパラメータを移送局装置に送信することによって、管理するセル内の状況（下りリンクリソースや上りリンクリソース、複数のコンポーネントキャリアを使用して通信を行なっている移動局装置２００の数や１つのコンポーネントキャリアを使用して通信を行なっている移動局装置２００の数など）に応じて、それぞれの領域を指定することが可能となり、より柔軟なＨＡＲＱにおける制御情報の送信制御を行なうことができる。
【０２８５】
また、複数のコンポーネントキャリアを使用して基地局装置１００と通信を行なっている移動局装置２００が、複数のＰＤＣＣＨおよび／または複数の下りリンクトランスポートブロックに対するＨＡＲＱにおける制御情報を、第１の送信フォーマットを使用して送信することによって、上りリンクリソースを効率的に使用したＨＡＲＱにおける制御情報の送信制御を行なうことができる。
【０２８６】
また、移動局装置２００が、第１の送信フォーマット、第２の送信フォーマットを使用して、ＨＡＲＱにおける制御情報を送信することによって、基地局装置１００において、より柔軟なＨＡＲＱにおける制御情報の送信制御を行なうことができる。すなわち、基地局装置１００によって、移動局装置２００が送信するＨＡＲＱにおける制御情報の情報量や、あるタイミングにおいてＨＡＲＱにおける制御情報を送信する移動局装置２００の数などを考慮したＨＡＲＱにおける制御情報の送信制御を行なうことができる。
【０２８７】
上記までに記載したように、本発明の移動通信システムは、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる第２の領域を指定する第２のパラメータを前記移動局装置へ送信し、前記移動局装置は、前記基地局装置が、複数の物理下りリンク制御チャネルを使用して同一サブフレームで複数の物理下りリンク共用チャネルを割り当てた場合には、前記第１の領域を使用して、ＨＡＲＱにおける制御情報を前記基地局装置へ送信し、前記基地局装置が、１つの前記物理下りリンク制御チャネルを使用して１つの前記物理下りリンク共用チャネルを割り当てた場合には、前記第１の領域または前記第２の領域を使用して、ＨＡＲＱにおける制御情報を前記基地局装置へ送信することを特徴としている。
【０２８８】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる第２の領域を指定する第２のパラメータを前記移動局装置へ送信し、前記移動局装置は、前記基地局装置が、ある特定のコンポーネントキャリア以外に配置された１つの物理下りリンク制御チャネルを使用して１つの物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して１つの前記物理下りリンク共用チャネルを割り当てた場合には、前記第２の領域を使用して、ＨＡＲＱにおける制御情報を前記基地局装置へ送信することを特徴としている。
【０２８９】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる第２の領域を指定する第２のパラメータを前記移動局装置へ送信し、前記移動局装置は、前記基地局装置が、複数の物理下りリンク制御チャネルを使用して同一サブフレームで複数の物理下りリンク共用チャネルを割り当てた場合、または、ある特定のコンポーネントキャリア以外に配置された１つの前記物理下りリンク制御チャネルを使用して１つの前記物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して１つの前記物理下りリンク共用チャネルを割り当てた場合には、前記第２の領域を使用して、ＨＡＲＱにおける制御情報を前記基地局装置へ送信することを特徴としている。
【０２９０】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる第２の領域を指定する第２のパラメータを前記移動局装置へ送信し、前記移動局装置は、前記基地局装置が、ある特定のコンポーネントキャリアに配置された１つの物理下りリンク制御チャネルを使用して前記物理下りリンク制御チャネルが配置されたコンポーネントキャリアとは異なるコンポーネントキャリアに配置された１つの物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して前記物理下りリンク制御チャネルが配置されたコンポーネントキャリアと同一のコンポーネントキャリアに配置された１つの前記物理下りリンク共用チャネルを割り当てた場合には、前記第２の領域を使用して、ＨＡＲＱにおける制御情報を前記基地局装置へ送信することを特徴としている。
【０２９１】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる第２の領域を指定する第２のパラメータを前記移動局装置へ送信し、前記移動局装置は、前記基地局装置が、複数の物理下りリンク制御チャネルを使用して同一サブフレームで複数の物理下りリンク共用チャネルを割り当てた場合、または、ある特定のコンポーネントキャリアに配置された１つの前記物理下りリンク制御チャネルを使用して前記物理下りリンク制御チャネルが配置されたコンポーネントキャリアとは異なるコンポーネントキャリアに配置された１つの前記物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して前記物理下りリンク制御チャネルが配置されたコンポーネントキャリアと同一のコンポーネントキャリアに配置された１つの前記物理下りリンク共用チャネルを割り当てた場合には、前記第２の領域を使用して、ＨＡＲＱにおける制御情報を前記基地局装置へ送信することを特徴としている。
【０２９２】
また、前記移動局装置は、前記第１の領域において、第１の送信フォーマットを使用して、ＨＡＲＱにおける制御情報を前記基地局装置へ送信し、前記第２の領域において、第２の送信フォーマットを使用して、ＨＡＲＱにおける制御情報を前記基地局装置へ送信し、前記第１の送信フォーマットと前記第２の送信フォーマットは、異なる送信フォーマットであることを特徴としている。
【０２９３】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる複数の領域を指定する複数のパラメータを前記移動局装置へ送信し、前記移動局装置は、前記基地局装置が、複数の物理下りリンク制御チャネルを使用して同一サブフレームで複数の物理下りリンク共用チャネルを割り当てた場合には、前記第１の領域を使用して、ＨＡＲＱにおける制御情報を前記基地局装置へ送信し、前記基地局装置が、１つの前記物理下りリンク制御チャネルを使用して１つの物理下りリンク共用チャネルを割り当てた場合には、前記第１の領域または前記複数の領域のいずれかの領域を使用して、ＨＡＲＱにおける制御情報を基地局装置へ送信することを特徴としている。
【０２９４】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる複数の領域を指定する複数のパラメータを前記移動局装置へ送信し、前記移動局装置は、前記基地局装置が、１つの物理下りリンク制御チャネルを使用して前記物理下りリンク制御チャネルが配置されたコンポーネントキャリアとは異なるコンポーネントキャリアに配置された１つの物理下りリンク共用チャネルを割り当てた場合には、前記第１の領域を使用して、ＨＡＲＱにおける制御情報を前記基地局装置へ送信し、前記基地局装置が、１つの前記物理下りリンク制御チャネルを使用して前記物理下りリンク制御チャネルが配置されたコンポーネントキャリアとは異なるコンポーネントキャリアに配置された１つの前記物理下りリンク共用チャネルを割り当てた場合には、前記複数の領域のいずれかの領域を使用して、ＨＡＲＱにおける制御情報を基地局装置へ送信することを特徴としている。
【０２９５】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる複数の領域を指定する複数のパラメータを前記移動局装置へ送信し、前記移動局装置は、前記基地局装置が、複数の物理下りリンク制御チャネルを使用して同一サブフレームで複数の物理下りリンク共用チャネルを割り当てた場合、または、１つの物理下りリンク制御チャネルを使用して前記物理下りリンク制御チャネルが配置されたコンポーネントキャリアとは異なるコンポーネントキャリアに配置された１つの物理下りリンク共用チャネルを割り当てた場合には、前記第１の領域を使用して、ＨＡＲＱにおける制御情報を前記基地局装置へ送信し、前記基地局装置が、１つの前記物理下りリンク制御チャネルを使用して前記物理下りリンク制御チャネルが配置されたコンポーネントキャリアとは異なるコンポーネントキャリアに配置された１つの前記物理下りリンク共用チャネルを割り当てた場合には、前記複数の領域のいずれかの領域を使用して、ＨＡＲＱにおける制御情報を基地局装置へ送信することを特徴としている。
【０２９６】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる複数の領域を指定する複数のパラメータを前記移動局装置へ送信し、前記移動局装置は、前記基地局装置が、コンポーネントキャリア指示フィールドを含む１つの物理下りリンク制御チャネルを使用して１つの物理下りリンク共用チャネルを割り当てた場合には、前記第１の領域を使用して、ＨＡＲＱにおける制御情報を前記基地局装置へ送信し、前記基地局装置が、コンポーネントキャリア指示フィールドを含まない１つの物理下りリンク制御チャネルを使用して１つの物理下りリンク共用チャネルを割り当てた場合には、前記複数の領域のいずれかの領域を使用して、ＨＡＲＱにおける制御情報を前記基地局装置へ送信することを特徴としている。
【０２９７】
また、複数のコンポーネントキャリアを使用して基地局装置と移動局装置が通信を行なう移動通信システムであって、前記基地局装置は、前記移動局装置が、物理上りリンク制御チャネルを利用可能な第１の領域を指定する第１のパラメータを前記移動局装置へ送信し、前記移動局装置が、前記物理上りリンク制御チャネルを利用可能な前記第１の領域とは異なる複数の領域を指定する複数のパラメータを前記移動局装置へ送信し、前記移動局装置は、前記基地局装置が、複数の物理下りリンク制御チャネルを使用して同一サブフレームで複数の物理下りリンク共用チャネルを割り当てた場合、または、コンポーネントキャリア指示フィールドを含む１つの物理下りリンク制御チャネルを使用して１つの物理下りリンク共用チャネルを割り当てた場合には、前記第１の領域を使用して、ＨＡＲＱにおける制御情報を前記基地局装置へ送信し、前記基地局装置が、コンポーネントキャリア指示フィールドを含まない１つの物理下りリンク制御チャネルを使用して１つの物理下りリンク共用チャネルを割り当てた場合には、前記複数の領域のいずれかの領域を使用して、ＨＡＲＱにおける制御情報を前記基地局装置へ送信することを特徴としている。
【０２９８】
また、前記移動局装置は、前記第１の領域において、第１の送信フォーマットを使用して、ＨＡＲＱにおける制御情報を前記基地局装置へ送信し、前記複数の領域のいずれかの領域において、第２の送信フォーマットを使用して、ＨＡＲＱにおける制御情報を前記基地局装置へ送信し、前記第１の送信フォーマットと前記第２の送信フォーマットは、異なる送信フォーマットであることを特徴としている。
【０２９９】
また、前記ＨＡＲＱにおける制御情報は、前記物理下りリンク共用チャネルで送信される下りリンクトランスポートブロックに対するＡＣＫまたはＮＡＣＫを示す情報であることを特徴としている。
【０３００】
また、前記ＨＡＲＱにおける制御情報は、前記移動局装置が前記物理下りリンク制御チャネルを検出できなかったことを示す情報であることを特徴としている。
【０３０１】
また、複数のコンポーネントキャリアを使用して基地局装置と移動局装置が通信を行なう移動通信システムにおける基地局装置であって、物理上りリンク制御チャネルを利用可能な第１の領域を指定する第１のパラメータを前記移動局装置へ送信し、前記物理上りリンク制御チャネルを利用可能な前記第１の領域とは異なる第２の領域を指定する第２のパラメータを前記移動局装置へ送信し、複数の物理下りリンク制御チャネルを使用して同一サブフレームで複数の物理下りリンク共用チャネルを前記移動局装置へ割り当てた場合には、前記第１の領域を使用して、ＨＡＲＱにおける制御情報を前記移動局装置から受信し、１つの前記物理下りリンク制御チャネルを使用して１つの前記物理下りリンク共用チャネルを前記移動局装置へ割り当てた場合には、前記第１の領域または前記第２の領域を使用して、ＨＡＲＱにおける制御情報を前記移動局装置から受信することを特徴としている。
【０３０２】
また、複数のコンポーネントキャリアを使用して基地局装置と移動局装置が通信を行なう移動通信システムにおける基地局装置であって、物理上りリンク制御チャネルを利用可能な第１の領域を指定する第１のパラメータを前記移動局装置へ送信し、前記物理上りリンク制御チャネルを利用可能な前記第１の領域とは異なる第２の領域を指定する第２のパラメータを前記移動局装置へ送信し、ある特定のコンポーネントキャリア以外に配置された１つの物理下りリンク制御チャネルを使用して１つの物理下りリンク共用チャネルを前記移動局装置へ割り当てた場合には、前記第１の領域を使用して、ＨＡＲＱにおける制御情報を前記移動局装置から受信し、前記ある特定のコンポーネントキャリアに配置された１つの前記物理下りリンク制御チャネルを使用して１つの前記物理下りリンク共用チャネルを前記移動局装置へ割り当てた場合には、前記第２の領域を使用して、ＨＡＲＱにおける制御情報を前記移動局装置から受信することを特徴としている。
【０３０３】
また、複数のコンポーネントキャリアを使用して基地局装置と移動局装置が通信を行なう移動通信システムにおける基地局装置であって、物理上りリンク制御チャネルを利用可能な第１の領域を指定する第１のパラメータを前記移動局装置へ送信し、前記物理上りリンク制御チャネルを利用可能な前記第１の領域とは異なる第２の領域を指定する第２のパラメータを前記移動局装置へ送信し、複数の物理下りリンク制御チャネルを使用して同一サブフレームで複数の物理下りリンク共用チャネルを前記移動局装置へ割り当てた場合、または、ある特定のコンポーネントキャリア以外に配置された１つの前記物理下りリンク制御チャネルを使用して１つの前記物理下りリンク共用チャネルを前記移動局装置へ割り当てた場合には、前記第１の領域を使用して、ＨＡＲＱにおける制御情報を前記移動局装置から受信し、前記ある特定のコンポーネントキャリアに配置された１つの前記物理下りリンク制御チャネルを使用して１つの前記物理下りリンク共用チャネルを前記移動局装置へ割り当てた場合には、前記第２の領域を使用して、ＨＡＲＱにおける制御情報を前記移動局装置から受信することを特徴としている。
【０３０４】
また、複数のコンポーネントキャリアを使用して基地局装置と移動局装置が通信を行なう移動通信システムにおける移動局装置であって、物理上りリンク制御チャネルを利用可能な第１の領域を指定する第１のパラメータを前記基地局装置から受信し、前記物理上りリンク制御チャネルを利用可能な前記第１の領域とは異なる第２の領域を指定する第２のパラメータを前記基地局装置から受信し、前記基地局装置が、複数の物理下りリンク制御チャネルを使用して同一サブフレームで複数の物理下りリンク共用チャネルを割り当てた場合には、前記第１の領域を使用して、ＨＡＲＱにおける制御情報を前記基地局装置へ送信し、前記基地局装置が、１つの前記物理下りリンク制御チャネルを使用して１つの前記物理下りリンク共用チャネルを割り当てた場合には、前記第１の領域または前記第２の領域を使用して、ＨＡＲＱにおける制御情報を前記基地局装置へ送信することを特徴としている。
【０３０５】
また複数のコンポーネントキャリアを使用して基地局装置と移動局装置が通信を行なう移動通信システムにおける移動局装置であって、物理上りリンク制御チャネルを利用可能な第１の領域を指定する第１のパラメータを前記基地局装置から受信し、前記移動局装置が、前記物理上りリンク制御チャネルを利用可能な前記第１の領域とは異なる第２の領域を指定する第２のパラメータを前記基地局装置から受信し、前記基地局装置が、ある特定のコンポーネントキャリア以外に配置された１つの物理下りリンク制御チャネルを使用して１つの物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して１つの前記物理下りリンク共用チャネルを割り当てた場合には、前記第２の領域を使用して、ＨＡＲＱにおける制御情報を前記基地局装置へ送信することを備えることを特徴としている。
【０３０６】
また、複数のコンポーネントキャリアを使用して基地局装置と移動局装置が通信を行なう移動通信システムにおける移動局装置であって、物理上りリンク制御チャネルを利用可能な第１の領域を指定する第１のパラメータを前記基地局装置から受信し、前記移動局装置が、前記物理上りリンク制御チャネルを利用可能な前記第１の領域とは異なる第２の領域を指定する第２のパラメータを前記基地局装置から受信し、前記基地局装置が、複数の物理下りリンク制御チャネルを使用して同一サブフレームで複数の物理下りリンク共用チャネルを割り当てた場合、または、ある特定のコンポーネントキャリア以外に配置された１つの前記物理下りリンク制御チャネルを使用して１つの前記物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して１つの前記物理下りリンク共用チャネルを割り当てた場合には、前記第２の領域を使用して、ＨＡＲＱにおける制御情報を前記基地局装置へ送信することを特徴としている。
【０３０７】
また、複数のコンポーネントキャリアを使用して基地局装置と移動局装置が通信を行なう移動通信システムにおける基地局装置の通信方法であって、物理上りリンク制御チャネルを利用可能な第１の領域を指定する第１のパラメータを前記移動局装置へ送信し、前記物理上りリンク制御チャネルを利用可能な前記第１の領域とは異なる第２の領域を指定する第２のパラメータを前記移動局装置へ送信し、複数の物理下りリンク制御チャネルを使用して同一サブフレームで複数の物理下りリンク共用チャネルを前記移動局装置へ割り当てた場合には、前記第１の領域を使用して、ＨＡＲＱにおける制御情報を前記移動局装置から受信し、１つの前記物理下りリンク制御チャネルを使用して１つの前記物理下りリンク共用チャネルを前記移動局装置へ割り当てた場合には、前記第１の領域または前記第２の領域を使用して、ＨＡＲＱにおける制御情報を前記移動局装置から受信することを特徴としている。
【０３０８】
また、複数のコンポーネントキャリアを使用して基地局装置と移動局装置が通信を行なう移動通信システムにおける基地局装置の通信方法であって、物理上りリンク制御チャネルを利用可能な第１の領域を指定する第１のパラメータを前記移動局装置へ送信し、前記物理上りリンク制御チャネルを利用可能な前記第１の領域とは異なる第２の領域を指定する第２のパラメータを前記移動局装置へ送信し、ある特定のコンポーネントキャリア以外に配置された１つの物理下りリンク制御チャネルを使用して１つの物理下りリンク共用チャネルを前記移動局装置へ割り当てた場合には、前記第１の領域を使用して、ＨＡＲＱにおける制御情報を前記移動局装置から受信し、前記ある特定のコンポーネントキャリアに配置された１つの前記物理下りリンク制御チャネルを使用して１つの前記物理下りリンク共用チャネルを前記移動局装置へ割り当てた場合には、前記第２の領域を使用して、ＨＡＲＱにおける制御情報を前記移動局装置から受信することを特徴としている。
【０３０９】
また、複数のコンポーネントキャリアを使用して基地局装置と移動局装置が通信を行なう移動通信システムにおける基地局装置の通信方法であって、物理上りリンク制御チャネルを利用可能な第１の領域を指定する第１のパラメータを前記移動局装置へ送信し、前記物理上りリンク制御チャネルを利用可能な前記第１の領域とは異なる第２の領域を指定する第２のパラメータを前記移動局装置へ送信し、複数の物理下りリンク制御チャネルを使用して同一サブフレームで複数の物理下りリンク共用チャネルを前記移動局装置へ割り当てた場合、または、ある特定のコンポーネントキャリア以外に配置された１つの前記物理下りリンク制御チャネルを使用して１つの前記物理下りリンク共用チャネルを前記移動局装置へ割り当てた場合には、前記第１の領域を使用して、ＨＡＲＱにおける制御情報を前記移動局装置から受信し、前記ある特定のコンポーネントキャリアに配置された１つの前記物理下りリンク制御チャネルを使用して１つの前記物理下りリンク共用チャネルを前記移動局装置へ割り当てた場合には、前記第２の領域を使用して、ＨＡＲＱにおける制御情報を前記移動局装置から受信することを特徴としている。
【０３１０】
また、複数のコンポーネントキャリアを使用して基地局装置と移動局装置が通信を行なう移動通信システムにおける移動局装置の通信方法であって、物理上りリンク制御チャネルを利用可能な第１の領域を指定する第１のパラメータを前記基地局装置から受信し、前記物理上りリンク制御チャネルを利用可能な前記第１の領域とは異なる第２の領域を指定する第２のパラメータを前記基地局装置から受信し、前記基地局装置が、複数の物理下りリンク制御チャネルを使用して同一サブフレームで複数の物理下りリンク共用チャネルを割り当てた場合には、前記第１の領域を使用して、ＨＡＲＱにおける制御情報を前記基地局装置へ送信し、前記基地局装置が、１つの前記物理下りリンク制御チャネルを使用して１つの前記物理下りリンク共用チャネルを割り当てた場合には、前記第１の領域または前記第２の領域を使用して、ＨＡＲＱにおける制御情報を前記基地局装置へ送信することを特徴としている。
【０３１１】
また、複数のコンポーネントキャリアを使用して基地局装置と移動局装置が通信を行なう移動通信システムにおける移動局装置の通信方法であって、物理上りリンク制御チャネルを利用可能な第１の領域を指定する第１のパラメータを前記基地局装置から受信し、前記移動局装置が、前記物理上りリンク制御チャネルを利用可能な前記第１の領域とは異なる第２の領域を指定する第２のパラメータを前記基地局装置から受信し、前記基地局装置が、ある特定のコンポーネントキャリア以外に配置された１つの物理下りリンク制御チャネルを使用して１つの物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して１つの前記物理下りリンク共用チャネルを割り当てた場合には、前記第２の領域を使用して、ＨＡＲＱにおける制御情報を前記基地局装置へ送信することを特徴としている。
【０３１２】
また、複数のコンポーネントキャリアを使用して基地局装置と移動局装置が通信を行なう移動通信システムにおける移動局装置の通信方法であって、物理上りリンク制御チャネルを利用可能な第１の領域を指定する第１のパラメータを前記基地局装置から受信し、前記移動局装置が、前記物理上りリンク制御チャネルを利用可能な前記第１の領域とは異なる第２の領域を指定する第２のパラメータを前記基地局装置から受信し、前記基地局装置が、複数の物理下りリンク制御チャネルを使用して同一サブフレームで複数の物理下りリンク共用チャネルを割り当てた場合、または、ある特定のコンポーネントキャリア以外に配置された１つの前記物理下りリンク制御チャネルを使用して１つの前記物理下りリンク共用チャネルを割り当てた場合には、前記第１の領域を使用して、ＨＡＲＱにおける制御情報を前記基地局装置へ送信し、前記基地局装置が、前記ある特定のコンポーネントキャリアに配置された１つの前記物理下りリンク制御チャネルを使用して１つの前記物理下りリンク共用チャネルを割り当てた場合には、前記第２の領域を使用して、ＨＡＲＱにおける制御情報を前記基地局装置へ送信することを特徴としている。
【０３１３】
以上説明した実施形態は、基地局装置１００および移動局装置２００に搭載される集積回路にも適用される。また、以上説明した実施形態において、基地局装置１００内の各機能や、移動局装置２００内の各機能を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行なっても良い。なお、ここでいう「コンピュータシステム」とは、ＯＳや周辺機器等のハードウェアを含むものとする。
【０３１４】
また、「コンピュータ読み取り可能な記録媒体」とは、フレキシブルディスク、光磁気ディスク、ＲＯＭ、ＣＤ-ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０３１５】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０３１６】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
0005866043.tif 000002
【図２】
0005866043.tif 000003
【図３】
0005866043.tif 000004
【図４】
0005866043.tif 000005
【図５】
0005866043.tif 000006
【図６】
0005866043.tif 000007
【図７】
0005866043.tif 000008
【図８】
0005866043.tif 000009
【図９】
0005866043.tif 000010
【図１０】
0005866043.tif 000011
【図１１】
0005866043.tif 000012